(57)【特許請求の範囲】
【請求項１】
メディア出力デバイスに提示するメディアを選択するためのシステムであって、
電子デバイスに関連付けられ、該電子デバイスの、空間データ、時間データ、及び対話データを含む電子デバイスデータを収集するユーザデータ収集モジュールと、
前記電子デバイスデータを受信するプロファイル管理モジュールと、
前記プロファイル管理モジュールによって管理され、前記電子デバイスデータ及び前記空間データ、前記時間データ、及び前記対話データを相関付けることによって得られる推定データの少なくとも一部を含む、ユーザに関連付けられたユーザプロファイルと、
前記ユーザプロファイルを前記選択されるメディアに関連するメタデータに相関付けることによってメディアインベントリから第１のメディア及び前記第１のメディアに関連する第２のメディアを選択し、前記第１のメディアは第１のフォーマットであり前記第２のメディアは前記第１のフォーマットと異なる第２のフォーマットであるメディア提示モジュールであって、前記メディア提示モジュールは前記ユーザと同一場所に位置付けられた少なくとも２つのメディア出力デバイスを選択し、前記少なくとも２つのメディア出力デバイスの内の第１のものに前記選択された第１のメディアを配信し、前記少なくとも２つのメディア出力デバイスの内の第２のものに前記第２のメディアを配信するメディア提示モジュールと、
を備えた
ことを特徴とするシステム。
【請求項２】
前記メディア出力デバイスの前記少なくとも２つの内の前記第１のものはモバイル電子デバイスの出力デバイスであり、前記メディア出力デバイスの前記少なくとも２つの内の前記第２のものは前記モバイル電子デバイスと関連しない視覚ディスプレイである、
請求項１に記載のシステム。
【請求項３】
前記対話データが、対人コミュニケーションデータ、メディアデータ、トランザクションデータ、及びデバイス対話データの少なくとも１つをさらに含む、
請求項２に記載のシステム。
【請求項４】
前記プロファイル管理モジュールが、前記空間データ、前記時間データ、及び前記対話データの１又はそれ以上を相関付けて、前記推定情報の少なくとも一部を推定する、
請求項１に記載のシステム。
【請求項５】
前記ユーザプロファイルが、過去のロケーションデータ、現在のロケーションデータ、及び予測される将来のロケーションデータの少なくとも１つを含む、
請求項４に記載のシステム。
【請求項６】
前記ユーザプロファイルが複数のユーザプロファイルの１つであり、前記プロファイル管理モジュールが、前記複数のユーザプロファイルを管理し、前記推定情報の少なくとも一部は、前記複数のユーザプロファイルの２つ又はそれ以上の比較に少なくとも基づいて推定される、
請求項１に記載のシステム。
【請求項７】
前記複数のユーザプロファイルの各々が電子デバイスに関連付けられ、前記メディア提示モジュールが、前記複数のユーザプロファイルの２つ又はそれ以上の比較に少なくとも基づいて前記電子デバイスの少なくとも１つに提示するメディアを選択する、
請求項６に記載のシステム。
【請求項８】
メディア出力デバイスに提示するためのメディアを選択する方法であって、
複数の電子デバイスに対して、時間データ、空間データ、及び対話データの少なくとも２つをコンピューティングデバイスによって収集するステップと、
前記時間データ、前記空間データ、及び前記対話データの少なくとも１つに基づいて複数のユーザプロファイルを前記コンピューティングデバイスによって維持するステップと、
前記時間データ、前記空間データ、及び前記対話データを相関付けることによって前記複数のユーザプロファイルの少なくとも一部についての推定情報を前記コンピューティングデバイスによって推定するステップと、
前記複数のユーザプロファイルの少なくとも一部を前記コンピューティングデバイスによって更新して、前記推定情報を含むようにするステップと、
ユーザに関連する前記複数のユーザプロファイルの１つを前記選択されるメディアに関連するメタデータに相関付けることによってメディアインベントリから第１のメディア及び前記第１のメディアに関連する第２のメディアを前記コンピューティングデバイスによって選択し、前記第１のメディアは第１のフォーマットであり前記第２のメディアは前記第１のフォーマットと異なる第２のフォーマットであるステップと、
前記選択されたメディアを配信するために経由する、前記ユーザと同一場所に位置付けられた少なくとも２つのメディア出力デバイスを前記コンピューティングデバイスによって選択するステップと、
前記選択された少なくとも２つのメディア出力デバイスの内の第１のものへの前記選択された第１のメディアの配信及び前記選択された少なくとも２つのメディア出力デバイスの内の第２のものへの前記選択された第２のメディアの配信を前記コンピューティングデバイスによって行うステップと、
を含む方法。
【請求項９】
前記推定情報は、過去のロケーション情報、現在のロケーション情報、予測される将来のロケーション情報、過去のアクティビティ情報、現在のアクティビティ情報、予測される将来のアクティビティ情報、一次ロケーション情報、二次ロケーション情報、基本設定情報、及びソーシャルネットワーク情報の少なくとも１つをさらに含む、
請求項８に記載の方法。
【請求項１０】
前記推定情報が第１推定情報であり、
前記方法が更に、
前記第１推定情報を、前記時間データ、前記空間データ、前記対話データ、及び他の推定情報の少なくとも１つに前記コンピューティングデバイスによって相関付けるステップと、
前記相関ステップに基づいて第２推定情報を前記コンピューティングデバイスによって生成するステップと、
前記第２推定情報を含むように前記複数のユーザプロファイルの少なくとも１つを前記コンピューティングデバイスによって更新するステップと、
を含む、
請求項９に記載の方法。
【請求項１１】
前記選択されたメディアデバイスが、現在のロケーション情報及び現在のアクティビティ情報の少なくとも１つに基づいて選択される、
請求項８に記載の方法。
【請求項１２】
予め決められた配信スケジュール及び動的メディア配信分析の１つに従って、前記メディア選択ステップ、前記メディア出力デバイス選択ステップ、及び配信を行うステップの全てを前記コンピューティングデバイスによって完了するステップを更に含む、
請求項８に記載の方法。
【請求項１３】
前記対話データはユーザのソーシャルネットワーク内の２つ以上のユーザに関係する関係データを少なくとも含む請求項１に記載のシステム。
【発明の詳細な説明】
【技術分野】
【０００１】
本発明は、メディアの配信のための方法、システム、及び装置に関する。１つの実施形態では、ユーザプロファイルが維持され、メディアが、ユーザプロファイルに関連付けられたモバイル電子デバイスに配信される。
【背景技術】
【０００２】
人々が携帯電話及びケーブルセットトップボックスを使用する場合のような、電子デバイスを使用するときには相当な量の情報が生成される。幾つか例を挙げると、ロケーション、使用されるアプリケーション、ソーシャルネットワーク、訪れた物理的ロケーション及びオンラインロケーションのような情報を用いて、エンドユーザに有用なサービス及び情報を配信し、商業的機会を広告主及び小売り業者に提供することができる。しかしながら、この情報のほとんどは、このような情報を取り込むことのできるような方法がないので、事実上廃棄されている。例えば、携帯電話に関して、携帯電話がアイドル状態（すなわち、ユーザが使用していない）である間、情報は一般に収集されない。すぐ近くにいる他者の存在、他のユーザへのメッセージの時間及び頻度、並びにユーザのソーシャルネットワークのアクティビティといった他の情報もまた、事実上取り込まれていない。ユーザ及びその電子デバイスに関連付けられたデータを収集及び通信するための方法、システム、及び装置に対する必要性がある。
【発明の概要】
【発明が解決しようとする課題】
【０００３】
データを収集し、これに基づいてメディアを提示するためのシステム、方法、及び装置が提供される。本システムは、全体的に、電子デバイスに関連付けられたデータ収集モジュールを含む。データ収集モジュールは、収集されたデータを管理モジュールに通信し、該管理モジュールが、収集されたデータに基づいた少なくとも１つのユーザプロファイルを管理する。管理モジュールは、ユーザプロファイルに基づいてユーザに提示するメディアを選択することができ、選択されたメディアは、ユーザのモバイル電子デバイスのディスプレイ或いは掲示板もしくはユーザと同一場所に位置付けられた他のディスプレイなど、ユーザと同一場所に位置付けられたメディア出力デバイスを介してユーザに表示することができる。
【課題を解決するための手段】
【０００４】
１つの態様では、メディア出力デバイスに提示するメディアを選択するためのシステムが提供される。１つの実施形態では、システムは、データ収集モジュール、プロファイル管理モジュール、ユーザプロファイル、及びメディア提示モジュールを含む。データ収集モジュールは、電子デバイスに関連付けられ、該電子デバイスの電子デバイスデータを収集する。プロファイル管理モジュールは、電子デバイスデータを受信し、これに基づいてユーザプロファイルを管理する。ユーザプロファイルは、電子デバイスのユーザに関連付けられ、電子デバイスデータの少なくとも一部を含む。メディア提示モジュールは、ユーザプロファイルの少なくとも一部分を受信し、ユーザに関連付けられたメディア出力デバイスへの選択されたメディアの提示を可能にする。メディア提示モジュールによって選択されるメディアは、ユーザプロファイルに少なくとも一部基づいて少なくとも一部選択される。１つの手法では、電子デバイスデータは、空間データ、時間データ、及び対話データの少なくとも１つを含む。１つの実施形態では、電子デバイスデータは、空間データ、時間データ、及び対話データの少なくとも２つ、或いはこれらのサブセットを含み、特定の実施形態では、電子デバイスデータは、空間データ、時間データ、及び対話データの少なくとも２つを含む。１つの手法では、対話データは、対人コミュニケーションデータ、メディアデータ、関係データ、トランザクションデータ、デバイス対話データ、及びこれらのサブセットの少なくとも１つを含む。１つの手法では、対話データは、対人コミュニケーションデータ、メディアデータ、関係データ、トランザクションデータ、デバイス対話データ、及びこれらのサブセットの少なくとも２つを含む。１つの手法では、関係データは、ソーシャルネットワークデータとユーザアイデンティティデータの少なくとも１つを含む。ユーザプロファイルは、電子デバイスデータの少なくとも一部を含み、特定の実施形態では、空間データ、時間データ、及び対話データの少なくとも１つに基づいて推定される推定情報を含む。これに関して、プロファイル管理モジュールは、空間データ、時間データ、及び対話データの１又はそれ以上を相関付けて、推定データの少なくとも一部を推定することができる。従って、ユーザプロファイルは、過去のロケーションデータ、現在のロケーションデータ、及び予測される将来のロケーションデータの少なくとも１つを含むことができる。ユーザプロファイルは、過去のアクティビティ情報、現在のアクティビティ情報、予測される将来のアクティビティ情報、及び基本設定（preference）情報を含むことができる。特定の手法では、ユーザプロファイルは、複数のユーザプロファイルの１つであり、プロファイル管理モジュールは、複数のユーザプロファイルを管理し、推定情報の少なくとも一部が、複数のユーザプロファイルの２つ又はそれ以上の比較に少なくとも基づいて推定される。１つの実施形態では、複数のユーザプロファイルの各々は、電子デバイスに関連付けられ、メディア提示モジュールが、複数のユーザプロファイルの２つ又はそれ以上の比較に少なくとも基づいて電子デバイスの少なくとも１つに提示するためのメディ��を選択する。
【０００５】
別の態様では、本システムは、少なくとも１つのサードパーティから受信されたサードパーティデータを受け取り認証するためのオーセンティケータを含むことができる。従って、プロファイル管理モジュールは、電子デバイスデータ及びサードパーティデータを受信し、ユーザに関連付けられたユーザプロファイルを管理することができ、該ユーザプロファイルは、電子デバイスデータ及びサードパーティデータの少なくとも一部を含む。１つの実施形態では、ユーザプロファイルは、電子デバイスデータ及びサードパーティデータに基づいて推定される推定情報を含む。従って、プロファイル管理モジュールは、電子デバイスデータ及びサードパーティデータの１又はそれ以上を相関付けて、推定情報の少なくとも一部を推定することができる。
【０００６】
別の態様では、メディア出力デバイスに提示するためのメディアを選択する方法が提供される。１つの実施形態では、本方法は、データを収集するステップ、収集されたデータに基づいてユーザプロファイルを維持するステップ、メディアインベントリからメディアを選択するステップ、メディア出力デバイスを選択するステップ、及び選択されたメディアの配信を行うステップを含む。データ収集ステップは、一般に、複数の電子デバイスから、空間データ、時間データ、及び対話データの少なくとも２つを収集するステップを含む。対話データは、一般に、対人コミュニケーションデータ、メディアデータ、関係データ、トランザクションデータ、及び電子デバイス対話データの少なくとも１つを含む。１つの手法では、収集されたデータは、電子デバイスに常駐するデータ収集モジュールと共に利用される一意の識別子、或いは電子デバイスに関連付けられた電話番号などの一意の識別子を介して固有に識別される。ユーザプロファイルを維持するステップは、一般に、時間データ、空間データ、及び対話データの少なくとも１つに基づいて複数のユーザプロファイルを維持するステップを含む。１つの手法では、少なくとも１つの一意の識別子は、ユーザプロファイルの識別及び維持を容易にするのに利用される。１つの実施形態では、ユーザプロファイルは、収集されたデータの少なくとも一部を含む。１つの手法では、維持ステップは、時間データ、空間データ、及び対話データの少なくとも１つからのデータを相関付けて、推定情報を生成するステップを含む。推定情報の少なくとも一部は、ユーザプロファイルの１又はそれ以上に含むことができる。メディアインベントリからメディアを選択するステップは、一般に、１つのユーザプロファイルに少なくとも一部基づく。１つの手法では、選択ステップは、ユーザプロファイルの少なくとも一部分（例えば、現在のロケーションデータ）をメディアインベントリのメディアと比較するステップ、及び配信のための少なくとも１つのターゲットメディアを選択するステップを含む。選択されたメディアを配信するために経由するメディア出力デバイスを選択するステップは、一般に、ユーザのロケーション（例えば、ユーザプロファイルに関連付けられたユーザのロケーション）をユーザに最も近いメディア出力デバイスと比較するステップ、及びユーザと同一場所に位置付けられた１又はそれ以上のメディア出力デバイスを選択するステップを含む。１つの実施形態では、メディア出力デバイスは、ユーザのモバイル電子デバイスである。別の実施形態では、メディア出力デバイスは、掲示板、コンピュータ又はテレビなど、ユーザと同一場所に位置付けられたディスプレイである。別の実施形態では、メディア出力デバイスは、企業又は政府エンティティのようなサードパーティに関連付けられたデバイスである。配信を行うステップは、一般に、選択されたメディア出力デバイスに適合するようにメディアを変換し、更に選択されたメディアを選択されたメディア出力デバイスに送信することによって達成される。
【０００７】
関連の態様では、本方法は、時間データ、空間データ、及び対話データの少なくとも１つを含むサードパーティデータを少なくとも１つのサードパーティから受け取り、更に電子デバイスデータ及びサードパーティデータの少なくとも１つを認証するステップを含むことができる。１つの実施形態では、認証ステップは、サードパーティ証明書を認証情報と比較するステップと、維持ステップにおけるサードパーティデータの使用を許可するステップを含むことができる。別の実施形態では、認証ステップは、サードパーティデータをユーザプロファイルの既存のデータと比較するステップ、サードパーティデータが認証基準の予め決められた数を満足するかどうかを判断するステップ、及び維持ステップにおいてサードパーティデータの使用を許可するステップを含むことができる。従って、本方法はまた、電子デバイスデータとサードパーティデータの少なくとも１つを相関付けて、推定情報を生成するステップを含むことができる。
【０００８】
別の態様では、電子データの収集を可能にする方法が提供される。１つの実施形態では、方法は、データ収集モジュールを電子デバイスに関連付けるステップ、データ収集モジュールを介して対話データを収集するステップ、対話データ収集ステップに基づいてユーザに対価を支払うステップ、及び対話データに少なくとも一部基づいてユーザプロファイルを維持するステップを含む。対価支払いステップは、ユーザプロファイルを維持するために収集対話データを利用可能にするユーザの同意及び／又は収集された対話データをサードパーティと共有できるようにするユーザの同意、及び／又はユーザへのメディアの提示を許可するユーザの同意と引き換えに、対話データの収集を可能にすることに対してユーザに対価を支払うステップを含むことができる。１つの手法では、割引サービス及び／又は割引商品が、ユーザへの対価の少なくとも一部として提供される。１つの実施形態では、本方法は、データ収集レベル（例えば、収集される対話データ、空間データ及び／又は時間データの量）及び／又はデータ共有レベル（例えば、収集されたデータを誰と共有するか、及び収集されたデータをどの程度共有するか）の１つをユーザが選択できるようにするステップを含む。従って、本方法は、データ収集レベル及び／又はデータ共有レベルに比例した対価によってユーザに対価を支払うステップを含むことができる。これに関して、本方法は、データの第１タイプに対する第１データ収集レベルを選択するステップを含むことができ、データの第２タイプに対する第２データ収集レベルを選択するステップを含むことができる。本方法は、第１データタイプに対する第１共有レベルを選択するステップを含むことができ、データの第２タイプに対する第２共有レベルを選択するステップを含むことができる。これらの選択ステップの１又はそれ以上は、データ収集モジュール又はその構成要素或いはこれに関係付けられた構成要素を介して可能にすることができる。これに関して、１つの実施形態では、ユーザは、これらの選択ステップの１又はそれ以上を達成することができる。データの第１及び第２タイプは、空間データ、時間データ、及び対話データの何れか１つ、及びこれらの何らかのサブセットとすることができる。１つの実施形態では、データの第１タイプは、空間データ、時間データ、及び対話データの少なくとも２つからのデータを含む。１つの実施形態では、データの第２タイプは、データの第１タイプには含まれないデータである。第１及び第２共有レベルは、企業、政府エンティティなどの種々のエンティティ、及び人間関係などの関係と共有されるデータの１又はそれ以上に関係付けることができる。１つの手法では、第１共有レベルは、第１エンティティとのデータの第１タイプの共有を許可することができ、第２共有レベルは、第２エンティティとのデータの第２タイプの共有を許可する。特定の実施形態では、データの第１及び第２タイプは、少なくとも一部の共通データを含むことができ、この共通データは、第１エンティティとは共有することができるが、第２エンティティとは共有されない。１つの実施形態では、本方法は、第１データ収集レベル及び／又は第１共有レベルに対して第１対価レートでユーザに対して対価を支払うステップを含む。本方法は、第２データ収集レベル及び／又は第２共有レベルに対して第２対価レートでユーザに対して対価を支払うステップを含むことができる。
【０００９】
別の態様では、複数のユーザプロファイルを維持してこれによって対価を受け取るための方法が提供される。１つの実施形態では、方法は、複数のモバイル電子デバイスから電子データを収集するステップ、各々が少なくとも１つのモバイル電子デバイスに関連付けられた複数のユーザプロファイルを維持するステップ、複数のユーザプロファイルの少なくとも一部についてのユーザプロファイル情報の少なくとも一部分に対して１又はそれ以上のベンダーによるアクセスを可能にするステップ、及びアクセスを可能にすることに対して１又はそれ以上のベンダーから対価を受け取るステップを含む。本方法は、ユーザプロファイルの第１層へのアクセスを可能にするステップを含むことができ、対価を受け取るステップは、第１レベルでの対価を受け取るステップを含む。本方法はまた、ユーザプロファイルの第２層へのアクセスを可能にするステップを含むことができ、対価を受け取るステップは、対価の第１層レベルよりも高くすることができる第２レベルで対価を受け取るステップを含む。１つの実施形態では、ユーザプロファイルの第２層へのアクセスに対するリクエストを受け取ることができ、第２層へのアクセスは、これに付随して又はこの後に可能にすることができる。別の手法では、複数のユーザプロファイルの第１プロファイルの少なくとも一部分が、モバイル電子デバイスに常駐し、第１ユーザに関連付けられる。この手法では、第１ユーザのプロファイルの少なくとも一部分へのアクセスは、第１ユーザによって可能にすることができ、対価の少なくとも一部分は、プロファイルへのアクセスを可能にすることに対して第１ユーザに提供することができる。別の手法では、本方法は、１又はそれ以上のベンダーから第１ユーザにメディアを提示する権利に対するオファーを受け取るステップ、該オファーの１つを受け付けるステップ、及び第１ユーザへのメディアの提示を可能にするステップを含むことができる。
【００１０】
別の態様では、モバイル電子デバイスに関連付けられた情報の収集を可能にするための方法が提供される。１つの実施形態では、方法は、モバイル電子デバイスに常駐する１又はそれ以上のオペレーションモジュールを介して電子デバイスデータを収集するステップ、モバイル電子デバイスに常駐するデータ収集モジュールに収集された電子データを提供するステップ、提供ステップに対してサードパーティに対価を支払うステップを含む。本方法はまた、収集された電子データに基づくユーザプロファイルを維持するステップ、１又はそれ以上のベンダーによるユーザプロファイルの少なくとも一部分へのアクセスを可能にするステップ、及び可能にするステップに対して１又はそれ以上のベンダーからベンダーの対価支払いを受け取るステップを含むことができる。１つの手法では、対価支払いステップは、サードパーティに対するベンダー対価支払いの少なくとも一部分を含むことができる。この手法では、ユーザプロファイルは、第１情報及び第２情報を含むことができ、第１情報は、モバイル電子デバイスの第１オペレーションモジュールによって収集されたデータに基づき、第１オペレーションモジュールは、第１パーティに関連付けられており、第２情報は、モバイル電子デバイスの第２オペレーションモジュールによって収集されたデータに基づき、第２オペレーションモジュールは、第２パーティに関連付けられている。従って、本方法は、第１対価レートで第１パーティに対して対価を支払うステップを含むことができ、第１対価レートは、第１オペレーションモジュールによってデータ収集モジュールに提供されたデータの量に関係付けられている。本方法は更に、第２対価レートで第２パーティに対して対価を支払うステップを含むことができ、第２対価レートは、データ収集モジュールに第２オペレーションモジュールによって提供されたデータの量に関係付けられている。この手法では、第１対価レートは、ユーザプロファイルの全体情報に対する第１情報の割合に関係付けることができ、第２対価レートは、ユーザプロファイルの全体情報に対する第２情報の割合に関係付けることができる。
【００１１】
別の態様では、ユーザ情報の収集を可能にするための方法が提供される。１つの実施形態では、本方法は、各々がモバイル電子デバイスのユーザに関連付けられている複数のユーザプロファイルを維持するステップと、第１ユーザに関連付けられた第１モバイル電子デバイスを介して、第１ユーザを含まないモバイル電子デバイスの少なくとも１人又はそれ以上の他のユーザに関連付けられる他のユーザデータを収集するステップと、複数のユーザプロファイルの維持者に他のユーザデータを提供するステップと、他のユーザデータ収集ステップ及び他のユーザデータ提供ステップの少なくとも１つに対して第１ユーザに対価を支払うステップとを含むことができる。１つの手法では、本方法は、第１ユーザによる他のユーザのユーザプロファイル情報の少なくとも一部分へのアクセスを可能にするステップと、他のユーザのユーザプロファイル情報の更新を第１ユーザに許可するステップと、他のユーザのユーザプロファイル情報を更新することに対して第１ユーザに対価を支払うステップとを含むことができる。
【００１２】
別の態様では、メディア表示機会を提示するための方法が提供される。１つの実施形態では、方法は、各々がユーザに関連付けられる複数の電子デバイスから電子データを収集するステップ、収集された電子データに基づくユーザプロファイル情報を各々が含む、電子デバイスの各ユーザについての複数のユーザプロファイルを維持するステップ、複数のユーザプロファイルをレビューするステップ、レビューステップに基づいて１又はそれ以上のメディア表示機会を位置付けるステップ、及び少なくとも１つのベンダーにメディア表示機会を提示するステップを含む。１つの手法では、本方法は、メディアを提示する権利に対して少なくとも１つのベンダーから１又はそれ以上のオファーを受け取るステップ、少なくとも１つのベンダーから少なくとも１つのオファーを受け付けるステップ、及びユーザと同一場所に位置付けられた少なくとも１つのメディア出力デバイスにメディアの提示を行うステップを含み、ここでメディアは、そのオファーが選択されたベンダーに関係付けられており、ユーザは、複数のユーザプロファイルの１つに関連付けられている。１つの手法では、複数のユーザプロファイルをレビューするステップは、複数のユーザプロファイルの電子データをメディアインベントリのメディアに関連付けられたメタデータに相関付けるステップと、相関関係に基づいて少なくとも１つのユーザプロファイルを選択するステップを含む。１つの手法では、メディア表示機会は、ユーザの現在のロケーション、ユーザの予測される将来のロケーション、ユーザの予測される将来のアクティビティ、及びユーザの基本設定の少なくとも１つに関する情報を含む。１つの手法では、本方法は、少なくとも１人のユーザが少なくとも１つのベンダーと同一場所に位置付けられていることを判断するステップと、判断ステップの後又はこれに付随して、レビューを完了させるステップ、位置付及び提示ステップを含む。
【００１３】
理解されるように、メディアを提示するための種々のシステム及び方法をもたらすために、上述の本発明の態様、手法、及び実施形態の種々のものを組み合わせることができる。更に、本発明のこれらの及び他の態様、利点、並びに新規の特徴は、以下の説明において一部記載され、以下の説明及び図面を検討すると当業者には明らかになり、或いは本発明を実施することによって確認することができる。
【図面の簡単な説明】
【００１４】
【図１】メディア配信システムの１つの実施形態を示す概略図である。
【図２】図１のデータ収集モジュールを含むモバイル電子デバイスの１つの実施形態を示す概略図である。
【図３】図１の管理モジュールの１つの実施形態を示す概略図である。
【図４】図１のユーザプロファイルの１つの実施形態を示す概略図である。
【図５】メディア配信システムで有用なデータ収集システムの１つの実施例を示す概略図である。
【図６ａ】モバイル電子デバイスを利用するメディア配信システムの１つの実施形態を示す概略図である。
【図６ｂ】モバイル電子デバイスを利用するメディア配信システムの１つの実施形態を示す概略図である。
【図７】モバイル電子デバイスを利用するメディア配信システムの１つの実施形態を示す概略図である。
【図８】ピア・ツー・ピアネットワークを利用するメディア配信システムの１つの実施形態を示す概略図である。
【図９】複数のユーザのためのメディア配信システムの１つの実施形態を示す概略図である。
【図１０ａ】メディアを提示するための方法の１つの実施形態を示すブロック図である。
【図１０ｂ】データの収集を可能にするための方法の１つの実施形態を示すブロック図である。
【図１０ｃ】データの収集を可能にするための方法の１つの実施形態を示すブロック図である。
【図１０ｄ】データ収集モジュールのデータ収集基本設定セクションの１つの実施形態を示す概略図である。
【図１０ｅ】データの収集を可能にするための方法の１つの実施形態を示すブロック図である。
【図１０ｆ】ユーザ情報を共有及び収集するための方法の１つの実施形態を示すブロック図である。
【図１０ｇ】ユーザプロファイルへのアクセスを可能にすることによって対価を受け取るための方法の１つの実施形態を示すブロック図である。
【図１０ｈ】サードパーティデータを認証するための方法の１つの実施形態を示すブロック図である。
【図１０ｉ】ユーザプロファイルへのアクセスを共有することによって対価を受け取るための方法の１つの実施形態を示すブロック図である。
【図１０ｊ】メディア表示機会を提示するための方法の１つの実施形態を示すブロック図である。
【発明を実施するための形態】
【００１５】
次に、少なくとも本発明の種々の適切な実施形態の例証の助けとなる添付図面を詳細に説明する。
【００１６】
図１は、メディアを配信するためのシステムの１つの実施形態を示す。システム１は、データ収集モジュール１０、管理モジュール２０、ユーザプロファイル３０、及びメディア出力デバイス４０を含む。データ収集モジュール１０は、電子データを収集し、管理モジュール２０と通信して、更に電子データを管理モジュール２０に提供する。管理モジュール２０は、データ収集モジュール１０から電子データを受け取り、ユーザプロファイル３０を管理する。以下に更に詳細に説明されるように、ユーザプロファイル３０は一般に、収集された電子データの少なくとも一部を含む。管理モジュール２０はまた、ユーザによる消費（例えば、視聴及び／又は聴取）のための選択されたメディア（Ｍ）（例えば、視覚及び／又は音声メッセージ）を出力できるメディア出力デバイス４０と通信する。
【００１７】
データ収集モジュール１０は、一般的に電子デバイス上に常駐することによって電子データを収集する。以下に更に詳細に説明されるように、データ収集モジュール１０は、電子デバイスに関連付けられたデータを収集するために電子デバイスの種々の他のモジュールにインターフェース接続することができる。例えば、データ収集モジュール１０は、電子デバイスの使用に関連付けられた電子データをアクティブ及び／又はパッシブに収集することができる。アクティブに収集されたデータの１つの実施例は、本明細書では対話データと呼ばれる、ユーザと電子デバイスとの間の対話によって収集されたデータを含む。パッシブに収集されたデータの１つの実施例は、電子デバイスとのユーザ対話に関係なく収集されるデータを含む。例えば、空間データ及び／又は時間データは、携帯電話などのモバイル電子デバイスの移動中にパッシブに収集することができる。
【００１８】
データ収集モジュールを含む電子デバイスの１つの実施形態が図２に示されている。この実施形態では、電子デバイスは、幾つか例を挙げると、携帯電話、モバイル電子メールデバイス、モバイルポータブルデジタルアシスタント、又はラップトップコンピュータなどのモバイル電子デバイス５０である。モバイル電子デバイス５０は、データ収集モジュール１０と通信できる空間モジュール５２、時間モジュール５４、及び１又はそれ以上の他のモジュール５６を含む。空間モジュール５２、時間モジュール５４、及び他のモジュール５６は、モバイル電子デバイスの既存の構成要素とすることができる。データ収集モジュール１０は、通信を可能にするためにこれらのモジュールと（例えば、アプリケーションプログラムインターフェースを介して）インターフェース接続することができる。空間モジュール５２は、データ収集モジュール１０に空間データを通信することができ、時間モジュール５４は、データ収集モジュール１０に時間データを通信することができ、他のモジュール５６は、データ収集モジュール１０に対話データなどの他のデータを通信することができる。以下に更に詳細に説明されるように、空間モジュール５２、時間モジュール５４及び／又は他のモジュールの何れか１つをデータ収集モジュール１０と統合することができる。
【００１９】
この実施形態の１つの注目すべき態様は、ユーザがモバイル電子デバイス５０を使用しているかどうかに関わらず、及び／又はモバイル電子デバイス５０がネットワークと通信中であるかどうかに関わらず、データ収集モジュール１０が空間モジュール５２、時間モジュール５４、及び／又は他のモジュール５６と通信できることである。従って、データ収集モジュール１０は、デバイスとのユーザ対話に関わらず、及びモバイル電子デバイス５０がネットワークと通信中であるかどうかに関わらず、モバイル電子デバイス５０のデータの複数のタイプを収集することができる。従って、空間、時間、及び他のデータのかなりの量が収集され、後で管理モジュール２０に通信することにより、ユーザプロファイル３０の管理及び作成を容易にすることができる。
【００２０】
空間モジュール５２は、空間データを通信するよう適合された何らかのハードウェア及び／又はソフトウェアとすることができる。例えば、空間モジュール５２は、モバイル電子デバイス５０に関連付けられたロケーション座標を通信できるモジュールとすることができる。１つの実施形態では、空間モジュール５２は、汎用パケット無線サービス（ＧＰＲＳ）のハードウェア及び／又はソフトウェアを含むことができる。
【００２１】
時間モジュール５４は、時間データ（例えば、タイムスタンプ）を通信するよう動作可能な何らかのハードウェア及び／又はソフトウェアとすることができる。１つの実施形態では、時間モジュール５４は、ローカルクロックを利用して時間データを通信する。別の実施形態では、時間モジュール５４は、ネットワークベースクロックを使用して時間データを通信する。
【００２２】
他のモジュール５６は、通信モジュール（例えば、ショートメッセージサービス（ＳＭＳ）、電子メール及び／又はボイスモジュール）、メディア関連モジュール（例えば、ワードプロセッサ、インターネットブラウザ、音声再生モジュール、及び写真デバイスなどの画像化モジュール）、及び同様のものなどのモバイル電子デバイス５０に関連付けられた他の何れかのハードウェア及び／又はソフトウェアとすることができる。
【００２３】
データ収集モジュール１０は、モバイル電子デバイス５０のモジュールによって収集されたデータを集めるよう動作可能な何らかのハードウェア及び／又はソフトウェアとすることができる。１つの実施形態では、データ収集モジュール１０は、主に、ユーザ対話を必要とすることなくモバイル電子デバイス５０のモジュールと通信するよう動作可能なソフトウェアを含み、従って、モバイル電子デバイス５０によって生成されたデータをモバイル電子デバイスのオペレーションのバックグラウンドで収集する、モバイル電子デバイス５０のバックグラウンドエージェントとして働くことができる。
【００２４】
データ収集モジュール１０は、モバイル電子デバイス５０に（例えば、サーバ又はピア・ツー・ピアネットワークなどを介して）予めロード及び／又はダウンロードすることができる。ユーザプロファイル３０を維持するのに使用できる一意的に識別可能なデータの収集を可能にするために、各データ収集モジュール１０は、一意の識別子を含むことができる。この一意の識別子は、収集されたデータと連動して使用し、一意のユーザの識別及びこれに基づいた一意のユーザプロファイル３０の維持を可能にすることができる。
【００２５】
以下に更に詳細に説明されるように、データ収集モジュール１０は、システム１の他のモジュールの何れとも別個のモジュールとすることができ、或いはデータ収集モジュール１０は、システム１の１又はそれ以上のモジュールと統合することができる。例えば、以下に更に詳細に説明されるように、データ収集モジュール１０は、メディア出力デバイス４０へのメディアの配信を容易にするために、管理モジュール２０と統合することができる。
【００２６】
別の実施形態（図示せず）では、データ収集モジュール１０は、幾つか例を挙げると、セットトップボックス、主に固定のコンピュータ（例えば、デスクトップコンピュータ又はサーバ）、電子自動販売機（例えば、食品及び／又は飲料分注マシン）、又は電子掲示板のような非モバイルの電子デバイスに位置付けることができる。これに関して、データ収集モジュール１０は、モバイル電子デバイス５０に関して上述された対話と同様にこれらのデバイスのモジュールと対話することができる。
【００２７】
上述のように、管理モジュール２０は、データ収集モジュールから（例えば、無線通信を介して）電子データを受信し、ユーザプロファイル３０を管理する（例えば、ユーザプロファイル３０を作成及び／又は更新する）。管理モジュール２０の１つの実施形態が図３に示されている。図示の実施形態では、管理モジュール２０は、プロファイル管理モジュール２２、及びメディア提示モジュール２４を含み、更に任意選択的に、メディア及びこれに関連付けられたメタデータのデータベースを含むことができるメディアインベントリ２６を含むことができる。プロファイル管理モジュール２２は、データ収集モジュール１０から電子データを受信し、電子データに基づく少なくとも１つのユーザプロファイル３０を管理する。例えば、以下に更に詳細に説明されるように、プロファイル管理モジュール２２は、受信データによってユーザプロファイル３０を更新することができ、及び／又はユーザプロファイル３０の少なくとも一部を推定するために受信データを相関付けることができる。
【００２８】
メディア提示モジュール２４は、ユーザプロファイル３０の少なくとも一部分を利用して、ユーザに提示するメディアの選択を可能にする。１つの手法匂いて、以下に更に詳細に説明されるように、メディア提示モジュール２４は、ユーザプロファイル３０のデータ及びメディアインベントリ２６のメディアに関連付けられたデータを相関付けて、可能性のあるターゲット広告機会を位置付けることができる。その結果、メディア提示モジュール２４は、１又はそれ以上のサードパーティ（例えば、１又はそれ以上のベンダー）にこれらの機会を提示することができ、該サードパーティは、選択されたユーザプロファイルに関連付けられたユーザにメディアを提示する権利に対する対価を提供することができる。例証として、メディア提示モジュール２４は、１又はそれ以上の商品又はサービスの購入にどのユーザが関心を持つ可能性があるかを判断するために、ユーザプロファイルをレビューすることができる。更に、メディア提示モジュール２４は、付随するメディア表示機会を１又はそれ以上のベンダーに提示することができ、該ベンダーは、ユーザの１人又はそれ以上にターゲットメディアを表示する権利を入札することができる。例えば、メディア提示モジュール２４は、ユーザプロファイルに基づいて、１人又はそれ以上のユーザが仕事に行く途中でコーヒーを購入することが多いと判断することができる。その結果、メディア提示モジュール２４は、可能性のあるコーヒー広告機会を１又はそれ以上のベンダー（例えば、ＳＴＡＲＢＵＣＫＳ、ＰＥＡＢＯＤＹ  ＣＯＦＥＥ、ＰＥＥＴ’Ｓ  ＣＯＦＦＥＥ）に通知することができる。次いで、これらのベンダーは、メディア出力デバイス４０を介してコンテキストベースのターゲットメディア表示機会をユーザに提供する権利を入札することができる。例えば、ベンダーは、ユーザが通常コーヒーを購入する時間の間、及び空間データ、時間データ、及び対話データの１又はそれ以上を使用して決定されるような、このユーザが通常よく行くロケーションに関して、ユーザにコーヒー広告又はクーポンを表示する権利を入札することができる。落札されると、メディアディスプレイモジュール２４は、メディア出力デバイス４０を介して表示するための適切なメディアを提示することができる。
【００２９】
別の手法匂いて、以下に更に詳細に説明されるように、メディア提示モジュール２４は、特定のデモグラフィック特性を有するユーザプロファイルを提供するよう１又はそれ以上のサードパーティからのリクエストを受け取ることができる。メディア提示モジュール２４は、リクエストされたデモグラフィック特性に従ってユーザプロファイルをフィルタ処理することができ、その結果、更に処理するためにそのフィルタ処理されたユーザプロファイルの少なくとも一部をサードパーティに提供することができる。１つの実施形態では、サードパーティは、ターゲットメディアを配信するための１又はそれ以上のユーザプロファイルを選択するベンダーである。特定の実施形態では、サードパーティは、ユーザプロファイルへのアクセス及び／又はターゲットメディアを提示する権利と引き換えにユーザプロファイルの維持者に対価を支払うことができる。
【００３０】
上述のように、プロファイル管理モジュール２２は、データ収集モジュール１０から電子データを受信し、ユーザプロファイル３０を管理する。ユーザプロファイル３０の１つの実施形態が図４に示されている。図示の実施形態では、ユーザプロファイル３０は、空間データ１４、時間データ１５、及び対話データ１６を一般に含む電子デバイスデータ１２の少なくとも一部分を含む。ユーザプロファイル３０はまた、推定情報１７を任意選択的に含むことができ、一般的には該推定情報１７を含む。推定情報１７は、空間データ１４、時間データ１５、及び対話データ１６の少なくとも１つに基づいて推定できる情報である。例えば、以下に更に詳細に説明されるように、プロファイル管理モジュール２２は、空間データ１４、時間データ１５及び／又は対話データ１６のデータを相関付けて、推定情報を推定することができる。例証として、以下に更に詳細に説明されるように、プロファイル管理モジュール２２は、時間データ（例えば、１日の時間）を空間データ（例えば、ロケーション）に相関付けて、一次ユーザロケーション（例えば、住居）及び／又は二次ユーザロケーション（例えば、職場ロケーション又は学校ロケーション）を決定することができる。
【００３１】
空間データ１４は、ユーザ及び／又は電子デバイスのロケーションに関連付けられた何れかのデータとすることができる。例えば、空間データ１４は、セルタワーデータ、ＧＰＲＳデータ、グローバルポジショニングサービス（ＧＰＳ）データ、ＷＩ−ＦＩデータ、パーソナルエリアネットワークデータ、ＩＰアドレスデータ、及び他のネットワークアクセスポイントからのデータなどの何らかのパッシブに収集されたロケーションデータ、或いはユーザによって入力されたロケーションデータなどのアクティブに収集されたロケーションデータを含むことができる。空間データ１４はまた、種々のロケーションに関連付けられた天気データを含むことができる。
【００３２】
時間データ１５は、ユーザ及び／又は電子デバイスに関連付けられた特定の時間及び／又はイベントに関する時間ベースのデータ（例えば、タイプスタンプ）である。例えば、時間データ１５は、パッシブに収集された時間データ（例えば、電子デバイスに常駐するクロックからの時間データ、或いはネットワーククロックからの時間データ）とすることができ、或いは時間データ１５は、電子デバイスのユーザによって入力された時間データ（例えば、ユーザが維持するカレンダー）などのアクティブに収集された時間データとすることができる。
【００３３】
対話データ１６は、アクティブ又はパッシブの何れであっても、電子デバイスのユーザ対話に関連付けられた何らかのデータとすることができる。対話データ１６の実施例は、対人コミュニケーションデータ、メディアデータ、関係データ、トランザクションデータ、及びデバイス対話データを含み、これらの全ては、以下で更に詳細に説明される。以下の表１は、電子データの実施例を含む非網羅的なリストである。
表１−電子データの実施例
0005507639.tif 000002
【００３４】
対話データ１６に関して、対人コミュニケーションデータは、電子デバイスとの間で受信又は送信され、ユーザとの間のコミュニケーションを目的とした何らかのデータを含むことができる。例えば、対人コミュニケーションデータは、着信又は発信ＳＭＳメッセージ、電子メールメッセージ、音声コール（例えば、携帯電話からのコール、ボイスオーバーＩＰコール）、或いは対人コミュニケーションを送信及び受信している人に関する情報のような電子デバイスに対する対人コミュニケーションの他のタイプに関連付けられた何らかのデータとすることができる。以下で説明するように、対人コミュニケーションデータは、例えば、ユーザアクティビティ情報を示すことができる集中通信パターンを含むコミュニケーションの頻度に関する情報を推定するために時間データ１５に相関付けることができる。
【００３５】
メディアデータは、オーディオデータ、視覚データ、及び視聴覚データなどの提示可能なメディアに関する何らかのデータを含むことができる。例えばオーディオデータは、ジャンル、アーティスト、アルバム、及び同様のものなどのダウンロードされた音楽に関するデータとすることができ、幾つか例を挙げると、着信音、呼出音、購入したメディア、プレイリスト、及び共有メディアに関するデータを含む。視覚データは、電子デバイスによって（例えば、インターネット又は他のネットワークを介して）受信された画像及び／又はテキストに関するデータとすることができる。視覚データは、電子デバイスから送信され及び／又は電子デバイスで取り込まれた画像及び／又はテキストに関するデータとすることができる。視聴覚データは、電子デバイスで取り込まれた、電子デバイスにダウンロードされた、或いは電子デバイスに関連付けられた何らかのビデオに関連付けられるデータとすることができる。メディアデータは、インターネットの使用のようにネットワークを介してユーザに提示されたメディアを含み、ネットワークを使用しているユーザによって入力及び／又は受信されたテキスト（例えば、サーチ語）に関するデータ、及びクリックデータ（例えば、広告バナークリック、ブックマーク、クリックパターン、及び同様のもの）などのネットワークメディアとの対話を含む。従って、メディアデータは、ユーザのＲＳＳフィード、加入、グループメンバーシップ、ゲームサービス、警報、及び同様のものに関するデータを含むことができる。メディアデータはまた、携帯電話などの電子デバイスを使用した画像取り込み及び／又はビデオ取り込みなどの非ネットワークアクティビティを含む。画像データは、幾つか例を挙げると、ユーザによって追加されたメタデータ、或いは、写真、写真が撮影されたロケーション、ショットの方向、ショットのコンテンツ、及び１日の時間に関するような、画像に関連付けられた他のデータを含むことができる。以下に更に詳細に説明するように、メディアデータは、例えば、アクティビティ情報或いは文化的基本設定及び／又は買物の基本設定情報などの基本設定情報を推定するのに使用できる。
【００３６】
関係データは、電子デバイスのユーザの関係に関するデータを含むことができる。例えば、関係データは、性別、年齢、人種、名前、社会保障番号、写真、及びユーザの身元に関連付けられた他の情報などのユーザアイデンティティデータを含むことができる。ユーザ身元情報はまた、電子メールアドレス、ログイン名、及びパスワードを含むことができる。関係データはまた、ソーシャルネットワークデータを含むことができる。ソーシャルネットワークデータは、ユーザの友達、家族、同僚、仕事関係、及び同様のことに関するデータなど、ユーザによって入力される電子デバイスのユーザの何らかの関係に関するデータを含む。ソーシャルネットワークデータは、例えば、ユーザが維持する電子アドレス帳に対応するデータを含むことができる。関係データは、例えば、一次関係（例えば、ユーザ−配偶者、ユーザ−子供、及びユーザ−親関係）又は他の関係（例えば、ユーザ−友達、ユーザ−同僚、ユーザ−仕事仲間の関係）など、ロケーションデータに相関付けてソーシャルネットワーク情報を推定することができる。関係データはまた、例えば、アクティビティ情報を推定するのに利用することができる。
【００３７】
対話データ１６はまた、トランザクションデータを含むことができる。トランザクションデータは、幾つか例を挙げると、ベンダー情報、金融機関情報（例えば、銀行情報）、金融口座情報（例えば、クレジットカード情報）、商品情報及びコスト／価格情報、及び購入頻度情報など、モバイル電子デバイスによって又はモバイル電子デバイスにて実施される商業トランザクションに関連付けられた何らかのデータとすることができる。トランザクションデータを利用して、例えば、アクティビティ及び基本設定情報を推定することができる。また、トランザクション情報を使用して、ユーザが所有する及び／又はユーザが関心を持つ可能性のある、デバイス及び／又はサービスのタイプを推定することができる。
【００３８】
対話データ１６はまた、デバイス対話データを含むことができる。デバイス対話データは、電子デバイスでどのアプリケーションが使用されるか、及びこれらのアプリケーションがどのくらいの頻度で何時使用されるかに関するデータなど、他のモジュール／アプリケーションの電子デバイスデータの使用に関連付けられた習慣的パターンのような上記のカテゴリーのいずれにも含まれていない、電子デバイスとのユーザの対話に関する何らかのデータとすることができる。以下に更に詳細に説明するように、デバイス対話データは、時間データに相関付けて、ユーザアクティビティ及びこれに関連付けられたパターンに関する情報を推定することができる。以下の表２は、対話データの実施例を含む非網羅的なリストである。
表２−対話データの実施例
0005507639.tif 000003
【００３９】
上述のように、ユーザプロファイル３０は、推定情報１７を含むことができる。推定情報１７は、空間データ１４、時間データ１５及び／又は対話データ１６の１又はそれ以上に基づいて推定されるなど、電子デバイスデータ１２に基づいて推定することができる。従って、推定情報１７は、ユーザの推定ロケーション及び／又は推定アクティビティに関する情報を含むことができる。例えば、推定情報１７は、一次ユーザロケーション、二次ユーザロケーション、過去のロケーション、現在のロケーション、及び予測される将来のロケーション情報の１又はそれ以上を含むことができる。推定情報１７は、このようなロケーションデータを推定するために時間データ１５との空間データ１４の相関関係に基づいて推定された情報を含むことができる。例証として、データ収集モジュール１０は、空間データ１４及び／又は時間データ１５を管理モジュール２０に送信することができる。よって、管理モジュール２０は、空間データ１４及び／又は時間データ１５を相関付けて、モバイル電子デバイスのユーザが１日の一定時間の間に１又はそれ以上の特定のロケーションにいることが多いと判断することができる。特定の実施形態では、管理モジュール２０は、空間データ１４と時間データ１５を相関付けて、一次ユーザロケーション（例えば、家）、二次ロケーション（例えば、学校又は職場）及び／又は他のロケーションを決定することができる。
【００４０】
推定情報１７はまた、過去のアクティビティ情報、現在のアクティビティ情報、及び予測される将来のアクティビティ情報などのアクティビティ情報を含むことができる。これに関して、過去、現在、又は予測される将来のアクティビティ情報は、他のユーザとの過去のコミュニケーション及び／又は他のユーザと同一ロケーションに関する情報を含むことができる。第１の例証として、プロファイル管理モジュール２２は、空間データを時間データ１５に相関付けて、ユーザのアクティビティ（例えば、仕事、レクリエーション、及び／又は家庭でのアクティビティ）を決定することができる。第２の例証として、対話データ１６（例えば、ソーシャルネットワークデータ）を相関付けて、ユーザのアクティビティ及び予測される将来のアクティビティを決定することができる。予測される将来のアクティビティ情報は、ユーザの日常的な種々のアクティビティを含むことができ、更に、サーチクエリー予測、起こり得るクリック、起こり得るテキスト入力、起こり得るスピーチ、及びその他などの起こり得るユーザインターフェース動作を含むことができる。予測される将来のアクティビティ情報はまた、コミュニケーション及び／又はコンテンツ作成情報の見込み受信者を含むことができる。
【００４１】
推定情報１７はまた、基本設定情報を含むことができる。基本設定情報は、文化的な基本設定及び／又は買物基本設定情報を含むことができる。文化的な基本設定情報は、幾つか例を挙げると、性別基本設定、民族性基本設定、宗教に関する基本設定及び／又は芸術に関する基本設定など、文化に関するユーザのあらゆる基本設定情報とすることができる。買物基本設定は、ユーザの買物習慣に関連付けられたあらゆる基本設定とすることができる。
【００４２】
推定情報１７はまた、ソーシャルネットワーク情報を含むことができる。ソーシャルネットワーク情報は、過去、現在、及び提案されるユーザ間関係情報（例えば、一次関係）を含むことができる。これに関して、ソーシャルネットワーク情報は、対人コミュニケーションデータ及び／又はソーシャルネットワークデータに基づいて推定することができる。ソーシャルネットワーク情報はまた、ユーザが通常好む可能性のあるアクティビティ又はロケーションの提案を容易にできる、基本設定情報の自動比較のようなピア・ツー・ピアサービスに対する基準を提供できる他者の保存された近接性を含むことができる。
【００４３】
推定情報１７は、電子デバイスデータ１２と部分的に重複する情報を含むことができる。例えば、ユーザのソーシャルネットワークは、データ収集モジュール１０（例えば、ユーザアドレス帳データ）から全て受信されるデータと、電子デバイスデータ１２に基づいた推定情報（例えば、１人又はそれ以上の他のユーザとの複数の対人コミュニケーションによる推定された関係データ）の両方を含むことができる。
【００４４】
他のデータ１８は、推定情報１７を生成するために使用できる。例えば、他の電子デバイス、他のユーザプロファイル、及び他のソフトウェア及び／又はハードウェアアプリケーションなどの他のソース１９からのデータは、電子デバイスに関連付けることができ、この他のデータを用いて、推定情報１７の推定を容易にすることができる。例証として、他のデータ１８は、ユーザプロファイル３０に関連付けられるが、別のモバイル電子デバイス又は別の固定電子デバイスなどの別の電子デバイスから取り込まれたデータとすることができる。１つの手法では、管理モジュール２０は、他のソースの一意の識別子（例えば、物理アドレス、電話番号及び／又は社会保障番号）をユーザプロファイル３０の一意の識別子に相関付けて、他のデータ１８をユーザプロファイル３０と共に利用すべきかどうかを判断することができる。
【００４５】
他のソースから他のデータ１８を収集し、これらの収集された他のデータ１８を認証するためのシステムの１つの実施形態が、図５に示されている。図示の実施形態では、上述されたような管理モジュール２０が、ユーザ５００についてのデータに基づくユーザプロファイル３０を管理する。上述のように、管理モジュール２０は、インターネットを介したユーザプロファイル３０の維持者への電子デバイスデータの送信など、ネットワーク５４０を介してモバイル電子デバイス５０２からデータを受信することができる。管理モジュール２０は、これらの受信されたデータに基づくユーザプロファイル３０を管理することができる。別の手法では、モバイル電子デバイス５０２で収集されたデータは、モバイルサービスプロバイダ（図示せず）に渡され、モバイルサービスプロバイダが、収集されたデータを受信して、これを管理モジュール２０に（例えば、インターネットを介して）渡す。
【００４６】
オーセンティケータ５２５を利用して、ネットワーク５４０を介してモバイル電子デバイス５０２から受信された情報を認証することができる。これに関して、オーセンティケータは、モバイル電子デバイス５０２から受信された情報（例えば、モバイル電子デバイス５０２に関連付けられた電話番号）を認証情報（例えば、ユーザ５００の既知の電話番号などの上述されたユーザ身元情報）と比較して、受信したデータを認証してこれをユーザ５００に関連付けることができる。認証されると、受信データは、管理モジュール２０に提供することができる。
【００４７】
オーセンティケータ５２５は、データの受信並びにデータ及びデータのプロバイダの少なくとも１つの認証を容易にする何らかの適切なハードウェア及び／又はソフトウェアとすることができる。例えば、オーセンティケータ５２５は、インターネットを介して他のコンピュータデバイスと通信できるコンピュータデバイス（例えば、アプリケーションプログラムインターフェース（ＡＰＩ）を利用するアプリケーションサーバ）とすることができる。オーセンティケータ５２５は、管理モジュール２０、データ収集モジュール１０及び／又はユーザプロファイルと統合することができ、或いは別個の構成要素とすることができる。
【００４８】
関連の手法では、テレビ加入サービス（例えば、ＣＯＭＣＡＳＴ）又は別の視聴サービス（例えば、ＹＯＵＴＵＢＥ．ｃｏｍ）のような企業による、ユーザ５００がテレビ５２４又は類似のディスプレイで見るためのデータは、ネットワーク５４２を介して管理モジュール２０に提供することができる。例えば、ユーザの視聴習慣、現在の視聴アクティビティ及び／又は視聴サービスとの対話に関するデータは、ネットワーク５４２及びオーセンティケータ５２５を介して管理モジュール２０に提供することができる。１つの手法では、視聴データは、視聴サービスプロバイダによって収集され、視聴サービスプロバイダによって管理モジュール２０に提供される。別の手法では、視聴データは、視聴覚サービスがインターネットを介して提供される場合など、ネットワーク５４２及びオーセンティケータ５２５を介して管理モジュール２０によって直接収集される。収集されたデータは、受信データがユーザ５００に関係付けられることを保証するために、オーセンティケータ５２５を介して認証することができる。例えば、オーセンティケータは、信号アドレス（例えば、ＩＰアドレス又はセットトップボックス識別子）を認証情報（例えば、ユーザ５００の既知のＩＰアドレスレンジ又はセットトップボックスアドレス）と比較し、受信データを認証して、これをユーザ５００に関連付けることができる。認証されると、データは、更に処理するために管理モジュール２０に提供することができる。
【００４９】
別の関連の手法では、コンピュータデバイスとのユーザの対話からのデータを提供することができる。例えばユーザ５００は、グラフィカルユーザインターフェース（ＧＵＩ）５２８及びコンピュータ５２６を使用してインターネット５４４の種々のウェブサイトと対話することができる。ＧＵＩ５２８は、例えば、ＦＩＲＥＦＯＸ及び／又はＩＮＴＥＲＮＥＴ  ＥＸＰＬＯＲＥＲなどのインターネットブラウザの使用を含むことができる。ウェブサイトとの対話中、ユーザ５００は、幾つか例を挙げると、ユーザの名前、物理アドレス、ＩＰアドレス、トランザクションデータ（例えば、金融機関口座情報）、ログイン／パスワードシステム、スマートカードなど、ウェブサイトプロバイダ５４８（例えば、オンライン店主）がユーザを認証できるようにする情報を提供することができる。ウェブサイトプロバイダ５４８はまた、ユーザ５００が、２つの例としてブラウジング習慣及びクリックデータのようなプロバイダのウェブサイト５４８をユーザ５００が利用している間のユーザ５００についてのデータ、並びに他のサイトとのユーザの対話についての可能性のある情報（例えば、クッキーのビューレビュー）を収集することができる。例えば、ウェブサイトプロバイダ５４８は、空間データ、ロケーションデータ、及び対人コミュニケーションデータ、メディアデータ、関係データ及び／又はトランザクションデータなどの対話データの１又はそれ以上を収集することができる。ユーザ５００が識別されているので、収集されたデータは、ユーザ５００に容易に関連付けることができ、従って、管理モジュール２０がユーザプロファイル３０を管理するのに利用することができる。このことから、ウェブサイトプロバイダ５４８は、インターネットなどを介してオーセンティケータ５２５経由でこのような情報を管理モジュール２０に提供することができる。その提供された情報の少なくとも一部（例えば、ユーザによって提出された物理アドレス）を認証情報（例えば、ユーザ５００の既知の物理アドレス）と比較して、提供されたデータを認証することによって、提供された情報を認証することができる。認証されると、データは、更に処理するために管理モジュール２０に提供することができる。別の手法では、（例えば、デジタル証明書を介して）ウェブサイトプロバイダ５４８自体を認証することができ、認証されると、更なるレビュー及び処理のために管理モジュール２０に情報を提供することができる。１つの実施形態では、情報は、管理モジュール２０の情報のレビュー及び管理を容易にするために構造化された方式で提供される。従って、ユーザプロファイル３０は、管理モジュール２０とサードパーティとの間の文字通りの統合を必要とすることなく、サードパーティデータを使用して容易に更新することができる。
【００５０】
別の手法では、再度図４を参照すると、ユーザは、他のデータ１８を用いてユーザのユーザプロファイルを積極的に更新することができる。１つの実施形態では、他のデータは、その固有のユーザプロファイル情報を維持する企業実体などの別のエンティティのユーザプロファイルデータである。別の実施形態では、他のデータは、政府記録及び同様のものなどの公共情報ソースから利用可能なデータである。
【００５１】
以下の表３は、推定情報及び推定情報を得る実施可能な方法の実施例を含む非網羅的なリストである。
0005507639.tif 000004
一次相関関係は、推定情報のリストされたタイプを推定する起こり得る方法を意味する。二次相関関係は、推定情報を推定する他の方法を意味する。例えば、現在のロケーション情報は、空間データに基づいて推定される可能性が高いが、対話データ（例えば、ユーザによって入力されたカレンダー）を使用して推定してもよい。
【００５２】
上述のように、ユーザプロファイル３０は、少なくとも一部の電子デバイスデータ１２を含むことができ、また、推定情報１７も含むことができる。これらのデータの１又はそれ以上は、データ収集モジュール１０のデータ取り込み機能によって相関付けることができるので、ユーザプロファイル３０は、過去のロケーション情報、現在のロケーション情報、予測される将来のロケーション情報、一次ユーザロケーション情報、二次ユーザロケーション情報、三次ユーザロケーション情報（等々）、過去のアクティビティ情報、現在のアクティビティ情報、予測される将来のアクティビティ情報、基本設定情報（例えば、文化的及び／又は買物基本設定情報）、及びソーシャルネットワーク情報（例えば、一次関係、二次関係、等々）として広範囲にカテゴリー化することができるデータのリッチセットを含むことができる。これらの情報カテゴリーは、非限定的であり、部分的に重複してもよい。例えば、現在のアクティビティ情報は、現在のロケーション情報を含むことができる。別の実施例では、ソーシャルネットワーク情報は、文化的基本設定情報を支援することができる（例えば、１８歳から２５歳の間で多くの関係を有するユーザは、都市エリアに主に位置付けられ、従って、ダンスクラブのクーポンの対象となることができる）。別の実施例では、文化的基本設定情報は、買物基本設定情報を支援することができる（例えば、アジアンフードを好むユーザは、アジアンレストランのクーポンの受け取りの対象となることができる）。
【００５３】
再度図３を参照すると、上述のように、メディア提示モジュール２４は、ユーザプロファイル３０に基づくメディア出力デバイス４０に提示するためのメディアの選択を容易にする。１つの手法では、メディア提示モジュール２４は、リクエストによって又は自動的にメディアインベントリ２６内のメディアを１又はそれ以上のユーザプロファイルと比較することができる。比較によって、種々の経済的及び人口動態的要素などに基づいてメディアの提示が妥当なものとされると、メディア提示モジュール２４は、メディア出力デバイス４０を介して提示するためにメディアを選択することができる。１つの手法では、メディア提示モジュール２４は、メディア出力デバイス４０の所望の出力パラメータに対応するために、幾つか例を挙げると、メディアの編集、作成、変換、再フォーマット及び／又トランスコードを行うことができる。従って、メディア提示モジュール２４は、ユーザプロファイル３０の少なくとも一部分を利用して、ユーザプロファイル３０に関連付けられたメディア出力デバイス４０に提示するためのメディアの選択を容易にすることができる。
【００５４】
メディアの選択を開始するために、どのようなトリガーも利用することができる。例えば、メディア提示モジュール２４は、種々のユーザプロファイルのデータをメディアインベントリ２６のメディアに関連付けられたデータに連続的に相関付けて、潜在的なターゲット広告機会を位置付けることができる。その結果、メディア提示モジュール２４は、これらの機会を１又はそれ以上のサードパーティ（例えば、１又はそれ以上のベンダー）に提示でき、このサードパーティは、選択されたユーザプロファイルに関連付けられたユーザにメディアを提示する権利に対する対価を提供することができる。トリガーは、幾つか例を挙げると、時間トリガー、イベントトリガー、又は場所トリガーなどの所与のコンテキストトリガーとすることができる。トリガーは、所与の価格のメディアの消去、アクセス、視聴、編集及び／又は製作に関連付けられたトリガーなど、所与のコンテンツトリガーとすることができる。トリガーは、所与の１又は複数の人、或いは１又は複数の人のタイプと同一ロケーション及び／又はコミュニケーションのような、ソーシャルトリガーとすることができる。トリガーは、商業トランザクションの特定のタイプの発生などの商業トリガーとすることができる。上述のトリガーの１又はそれ以上は、メディアインベントリ２６とのユーザプロファイルの比較をトリガーするためにあらゆる組合せで利用することができる。
【００５５】
別の手法では、トリガーは、特定のデモグラフィック特性を有するユーザプロファイルを提供する１又はそれ以上のサードパーティからのリクエストとすることができる。メディア提示モジュール２４は、リクエストされたデモグラフィック特性に従ってユーザプロファイルをフィルタ処理することができる。１つの実施形態では、メディア提示モジュールは、事前に選択されたメディアを利用し、このメディアをフィルタ処理されたユーザプロファイルに関連付けられる１又はそれ以上のメディア出力デバイス４０に提供することができる。別の実施形態では、メディア提示モジュール２４は、これらのフィルタ処理されたユーザプロファイルの少なくとも一部分を更なる処理のためサードパーティに提供することができる。関連の実施形態では、サードパーティは、ターゲットメディアを配信する対象となる１又はそれ以上のユーザプロファイルを選択するベンダーであり、特定の実施形態では、サードパーティは、そのターゲットメディアを提示するためにユーザプロファイルの維持者に対価を支払うことができる。
【００５６】
１つの実施形態では、メディアへのユーザの注意は、自動的にメディアを表示することなど、適宜メディア（例えば、現在のロケーション、天気、時間、及び同様のものなどの事実に関するメディア）を自動的に出力することによって促進され、これにより出力メディアに対するユーザの注意力を高めることができる。この自動出力メディアは、ユーザが、広告、クーポン、及び同様のものなどの他のメディアに気を配り消費する（例えば、見る及び／又は聞く）可能性を高めることができる。例えば、表示或いは出力されたメディアへの注意を喚起するために、ユーザのアクティビティの定期的なサマリー(例えば、毎日、毎週、毎時間、その他)を含むメディアを提供することができる。
【００５７】
メディア提示モジュール２４は、電子デバイスデータ１２及び／又は推定情報１７に基づいてメディアを選択することができる。１つの手法では、動的メディア表示機会分析が完了され、メディア提示モジュール２４は、ユーザプロファイル３０のデータとメディアインベントリ２６のメディアに関連付けられたデータとを相関付けて、メディア表示機会を位置付ける。その結果、メディア提示モジュール２４は、これらの機会を１又はそれ以上のサードパーティ（例えば、１又はそれ以上のベンダー）に提示することができ、１又はそれ以上のサードパーティは、選択されたユーザプロファイルに関連付けられたユーザにメディアを提示する権利に対する対価を提供することができる。
【００５８】
関連の手法では、メディア提示モジュールは、１又はそれ以上のユーザプロファイルのデータをメディアインベントリ２６内のメディアのメタデータと比較することができ、それに基づいて適切なメディアを選択する。例えばメディア提示モジュール２４は、複数のユーザプロファイルを受信し、最近９０日以内にＲ＆Ｂジャンルの曲を購入した１８歳から２５歳までの女性に関係付けられたプロファイルを選択することができる。メディア提示モジュール２４は、これらのユーザプロファイルに基づいて将来のＲ＆Ｂコンサートに関するメディアを選択し、そのメディアをユーザプロファイルに関連付けられたユーザの１人又はそれ以上に提示することができる。
【００５９】
メディア提示モジュール２４はまた、提示されたメディアに対するユーザの反応の追跡を可能にすることができる。提示されたメディアへのユーザ反応は、対話データ下でカテゴリー化可能なユーザ反応データを介して追跡することができ、このユーザ反応データは、プロファイル管理モジュール２２に提供されて、それに基づいた新しいプロファイル３０の更新（例えば、基本設定情報の更新）を容易にすることができる。データ収集モジュール１０はまた、これらの機能を支援し、或いは完了させることができる。
【００６０】
メディア提示モジュール２４は、ディスプレイなどの何らかの出力デバイスに対してメディアをフォーマットすることができ、１つの実施形態では、メディアは、ディスプレイの大部分を利用してメディアを良好に提示できるようにする。これに関して、データ収集モジュール１０は、他の表示要件を無効にすることによってメディアの表示を容易にすることができる。
【００６１】
メディア提示モジュール２４は、選択されたメディアをメディア出力デバイス４０に送信する送信モジュール（図示せず）を含むことができる。送信モジュールは、既知の或いは開発された通信の何れかの形態を利用して、メディアをメディア出力デバイス４０に送信することができる。
【００６２】
プロファイル管理モジュール２２、メディア提示モジュール２４及び／又はメディアインベントリ２６は、別個のソフトウェアのような別個のモジュールとすることができ、異なるロケーションに位置付けることができる。例えば、第１サーバは、プロファイル管理モジュール２２を含むことができ、第２サーバは、メディア提示モジュール２４を含むことができる。プロファイル管理モジュール２２、メディア提示モジュール２４及び／又はメディアインベントリ２６は、代替として、単一の電子デバイス上で同一場所に位置付けることができ、１つの実施形態では、単一の電子デバイス（例えば、モバイル電子デバイス）内に統合することができる。１つの実施形態では、メディア提示モジュール２４及び／又はメディアインベントリ２６は、データ収集モジュール１０と共に電子デバイス上に同一場所に位置付けることができ、メディア提示モジュール２４は、表示待ち時間の不利な条件をメディア提示が確実に阻止できるようにするために、選択されたメディアをキャッシュすることができる。上述のように、これらのモジュールの何れもまた、モジュールの何れか１つがデータ収集モジュール１０に関連付けられた電子デバイスであるときなど、データ収集モジュール１０と統合することができる。
【００６３】
引き続き図３を参照して、メディア出力デバイス４０は、メディア提示モジュール２４と通信し、選択されたメディアを出力する。メディアは、幾つか例を挙げると、テキスト、グラフィック、アニメーション、又は音声メッセージなどのオーディオ、視覚及び／又は視聴覚メディアとすることができ、インタラクティブとすることができる。メディアはまた、振動、匂い、味、及び同様のものなどの他の感覚メッセージを含むことができる。メディアは、幾つか例を挙げると、広告、クーポン、及びエンターテインメントを含むことができる。
【００６４】
メディア出力デバイス４０は、幾つか例を挙げると、テレビ、コンピュータ、及び掲示板などのユーザと同一場所に位置付けられたモバイル電子デバイス又は類似のデバイスのディスプレイなどのユーザプロファイル３０に関連付けられたディスプレイとすることができる。メディア出力デバイス４０は、ユーザ対話なしに選択されたメディアを自動的に出力（例えば、表示）することができる。従って、１つの実施形態では、メディアの出力のためにユーザ対話は必要としない（すなわち、メディアは、メディア出力デバイスとのユーザ対話なしで表示される）。
【００６５】
ここで図６ａを参照すると、モバイル電子デバイスにメディアを配信するためのシステムの１つの実施形態が示されている。このシステムは、データ収集モジュール１０を含むモバイル電子デバイス５０２（例えば、携帯電話）を含む。モバイル電子デバイス５０２は、例えばアプリケーションプログラムインターフェース（「ＡＰＩ」）５１８を介してリモートサーバ５０８と通信することができる。上述のように、データ収集モジュール１０は、モバイル電子デバイス５０２に関連付けられた電子デバイスデータを収集することができる。これに関して、データ収集モジュール１０は、空間モジュール５２、時間モジュール５４又は他のモジュール５６などのモバイル電子デバイス５０２の１又はそれ以上のモジュールと通信することができる。モバイル電子デバイス５０２は、一意の識別子、例えば、収集されたデータをモバイル電子デバイスのユーザ５００に相関付けることを可能にする、固有電話番号又は一意に識別されたデータ収集モジュール１０を有することができる。
【００６６】
予め決められた時間間隔で、或いはリモートサーバ５０８によって又はモバイル電子デバイス５０２によるリクエストに応じて、データ収集モジュール１０は、更なる処理のため電子デバイスデータをリモートサーバ５０８にアップロードすることができる。従って、図示の実施形態では、リモートサーバ５０８は、上述のようにプロファイル管理モジュールとして動作することができ、モバイル電子デバイス５０２のユーザ５００に関連付けられたユーザプロファイル３０ａを維持することができる。上述のように、このユーザプロファイル３０ａは、電子デバイスデータの少なくとも一部を含むことができ、更に推定情報を含むことができる。
【００６７】
リモートサーバ５０８は、メディアサーバ５１２と通信することができる。これに関して、ＡＰＩ５１８を利用して、リモートサーバ５０８とメディアサーバ５１２との間の通信を容易にすることができる。従って、リモートサーバ５０８は、ユーザプロファイル３０ａの少なくとも一部分をメディアサーバ５１２に提供することができる。メディアサーバ５１２は、ユーザプロファイル３０ａの少なくとも一部分を利用して、メディアインベントリ２６からのメディアの選択を容易にすることができる。従って、図示の実施形態では、メディアサーバ５１２は、上述のようにメディア提示モジュールとして働くことができる。
【００６８】
ユーザプロファイル３０ａの少なくとも一部分を受信した後、メディアサーバ５１２は、モバイル電子デバイス５０２に提示するためにメディアインベントリ２６から１又はそれ以上のメディアを選択することができる。例えば、メディアサーバ５１２は、ユーザプロファイル３０ａに関連付けられたデータをメディアインベントリ２６のメディアに関連付けられたデータと比較し、モバイル電子デバイス５０２のユーザ５００に配信するためのターゲットメディアの選択を容易にすることができる。メディアインベントリ２６から１又はそれ以上のターゲットメディアが選択されると、メディアサーバ５１２は、モバイル電子デバイス５０２への送信などを介して、モバイル電子デバイス５０２へのターゲットメディアの提示を容易にすることができる。
【００６９】
関連の実施形態では、ユーザプロファイル３０ｂの少なくとも一部分をモバイル電子デバイス５０２上に位置付けて、メディアサーバ５１２を介したモバイル電子デバイス５０２へのターゲットメディアの直接提示を可能にすることができる。例えば、モバイル電子デバイス５０２がメディアサーバ５１２と同一場所に位置付けられているときには、メディアサーバ５１２及び／又はモバイル電子デバイス５０２は、これらの同一ロケーションを（例えば、ＢＬＵＥＴＯＯＴＨ通信などのパーソナルエリアンネットワーク通信を介して）認識することができる。その結果、メディアサーバ５１２は、ユーザプロファイル３０ｂの少なくとも一部分を受信し、モバイル電子デバイス５０２へのメディアの配信の選択を容易にすることができる。上述のように、メディアサーバ５１２は、ユーザプロファイル３０ｂのデータを利用して、メディアインベントリ５１４のメディアと比較し、適切なターゲットメディアをモバイル電子デバイス５０２に送信することができる。例えば、メディアサーバ５１２は、ユーザプロファイル３０ｂの少なくとも一部分に基づいたモバイル電子デバイス５０２にターゲット広告及び／又はターゲットクーポンを通信することができる。
【００７０】
別の関連の実施形態では、図６ｂを参照して、モバイル電子デバイス５０２に関連付けられたユーザ５００は、ベンダー５１８を訪れることができる。データ収集モジュール（図示せず）を介して収集されたデータは、管理モジュール２０に通信され、ユーザ５００がベンダー５１８と同一場所に位置付けられていることを示すことができる。管理モジュール２０は、ユーザ５００に一致するユーザプロファイル３０のデータを比較することができ、ユーザ５００と同一場所に位置付けられたメディア出力デバイスに配信するための適切なターゲットメディアを選択することができる。例えば、メディアは、モバイル電子デバイス５０２のディスプレイに出力することができる。別の実施例では、メディアは、掲示板、テレビ、コンピュータ、及び同様のものなど、ユーザと同一場所に位置付けられた１又はそれ以上の他のディスプレイに提示することができる。メディアは、例えば、ベンダー５１８と取引をするための広告、クーポン、又は他のインビテーションとすることができる。図示の実施形態では、管理モジュール２０は、ベンダー５１８と同一場所に位置付けられるサーバ上など、ベンダー５１８の近くに位置付けられる。しかしながら、管理モジュール２０は、ベンダー５１８からリモートに位置付けることができる。また、管理モジュール２０の一部を分離し、異なるロケーションに位置付けることもできる。例えば、プロファイル管理モジュール２２をベンダー５１８からリモートに位置付けることができ、メディア提示モジュール２４をベンダー５１８と同一場所に位置付けることができる。
【００７１】
上述のように、空間データ、時間データ、対話データ、及び／又は推定情報の１又はそれ以上を利用して、モバイル電子デバイス５０２のユーザ５００への配信のためのメディアの選択を容易にすることができる。例えば、空間データは、現在のロケーションデータを含むことができ、これによってメディア提示モジュール２４は、モバイル電子デバイス５０２のユーザ５００の近くに位置付けられた１又はそれ以上のベンダーを特定することができる。時間データを利用して、ユーザがベンダー５１８の近くにいる時間を示すことができる。過去のアクティビティ情報、過去のロケーション情報、基本設定情報、及びソーシャルネットワーク情報などの推定情報を利用して、モバイル電子デバイス５０２のユーザ５００に提示するための適切なメディアの選択を容易にすることができる。１つの実施形態では、文化的基本設定及び／又は買物基本設定情報は、モバイル電子デバイス５０２のユーザ５００へのメディアの提示を容易にするために、メディア提示モジュール２４によって利用される。別の実施形態では、ソーシャルネットワーク情報などの関係データを利用して、モバイル電子デバイス５０２のユーザ５００へのメディアの提示を容易にすることができる。例えば、メディア提示モジュール２４は、２人又はそれ以上のユーザが同一場所に位置付けられていることを（例えば、現在のロケーションデータを介して）判断することができる。その結果、メディア提示は、ユーザの各々に関連付けられたユーザプロファイルを比較して、これに基づいて（例えば、広告に基づいて）同一場所に位置付けられたユーザの１人又はそれ以上に対しメディアを提示することができる。推定情報の生成及び／又はメディアの選択のためにデータの多くの組合せが可能であり、全てのこのような組合せは、本発明の範囲及び思想内にある。
【００７２】
ユーザプロファイル３０を利用して、１つより多い電子デバイスへのメディアの配信を容易にすることができる。例えば、図７を参照して、ユーザ５００は、モバイル電子デバイス５０２に関連付けることができる。ユーザ５００はまた、テレビ５２４及び／又はコンピュータ５２６などの１又はそれ以上の他の電子デバイスに関連付けることもできる。これに関して、管理モジュール２０は、例えばこのような電子デバイスに関連付けられた電子データ（例えば、企業実体から受信されたセットトップボックスロケーション情報）を介して及び／又は電子デバイスデータ及び／又は他の推定情報を使用した推定を介して、これらの他の電子デバイスをユーザプロファイル３０に関連付けることができる。一例匂いて、ユーザプロファイル３０は、上述のように、ユーザ５００が特定の地理的近傍内に主に位置付けられることを示す一次ロケーション情報を含むことができる。管理モジュール２０は、類似の地理的近傍を示すデータを他の電子デバイス及び／又はこれらの電子デバイスに関連付けられたベンダーから受信することができる。従って、管理モジュール２０は、これらの電子デバイスの１又はそれ以上がモバイル電子デバイス５０２のユーザ５００に関連付けられることを推定し、これらを示すようユーザプロファイル３０を更新することができる。
【００７３】
図示の実施形態では、管理モジュール２０は、空間データ（例えば、現在のロケーション情報）又は推定情報（例えば、予測される将来のロケーション情報）などを介して、ユーザ５００の現在のロケーションを決定することができる。ユーザ５００の可能性のあるロケーションが決定されると、管理モジュール２０は、ユーザ５００へのメディアの配信のための１又はそれ以上の電子デバイスを選択することができる。電子デバイスが選択されると、管理モジュール２０は、ユーザプロファイル３０に関連付けられたデータを利用して、ユーザ５００による感知（例えば、ユーザによるメディアの視聴及び／又は聴取）のための選択されたデバイスへのメディアの配信を容易にすることができる。
【００７４】
例証として、管理モジュール２０は、ユーザ５００がユーザの一次ロケーションに位置付けられていることを判定することができ、ユーザ５００が今週のこの特定の日にフードベンダーと対人コミュニケーションを行うことを決定することができる。従って、管理モジュール２０は、ユーザプロファイル３０の少なくとも一部分をメディアインベントリ２６内のフード関係のメディアと比較して、ユーザの一次ロケーションに近いフードベンダーのクーポン又は広告など、ユーザ５００に提示するためのフード関係のメディアの１つを選択することができる。このメディアは、モバイル電子デバイス５０２、テレビ５２４、及びコンピュータ５２６、或いは一次ロケーションのユーザと同一場所に位置付けられた他の何れかの電子デバイスのうちの１又はそれ以上に提示することができる。図示の実施形態では、ユーザ５００が第３ロケーションにいる場合、管理モジュール２０は、第１ロケーションに位置付けられたリモートサーバ５０８と、第２ロケーションに位置付けられたメディアサーバ５１２とを含む。しかしながら、上述のように、これらのモジュールの何れもが、ユーザ５００のモバイル電子デバイス５０２に常駐するなど、互いに同一場所に位置付けることができる。
【００７５】
上述のように、ユーザプロファイル３０の少なくとも一部分は、モバイル電子デバイス５０２上に位置付けて、モバイル電子デバイス５０２へのメディアの配信を容易にすることができる。更に、管理モジュール２０の少なくとも一部分は、モバイル電子デバイス５０２上に位置付けて、メディアの提示を容易にすることもできる。従って、ピア・ツー・ピアメディア配信を容易にできる。
【００７６】
例えば、図８を参照すると、第１モバイル電子デバイス８０６は、データ収集モジュール（図示せず）を含むことができ、第１ユーザ８００に関連付けることができる。第２モバイル電子デバイス８１０はまた、データ収集モジュール（図示せず）を含むことができ、第２ユーザ８０２に関連付けることができる。管理モジュールの少なくとも一部分（図示せず）は、モバイル電子デバイス８０６、８１０の各々に関連付けることができる。モバイル電子デバイス８０６、８１０が同一場所に位置付けられている場合、デバイス８０６、８１０の各々の管理モジュールは、モバイル電子デバイス８０６、８１０の各々のユーザプロファイルに基づく選択されたメディアの提示を容易にするよう互いに通信することができる。例えば、デバイス８０６、８１０の各々の管理モジュールは、ソーシャルネットワークなどの関係データを共有し、共通の関係がモバイル電子デバイス８０６、８１０のユーザ８００、８０２によって共有されるかどうかを判断することができる。このような共通の関係が存在する（例えば、ユーザの双方が知っている、或いはサードパーティを通じて知り合いになっている）場合、モバイル電子デバイス８０６、８１０に関連付けられたメディア出力デバイスを介してメッセージを表示し、共通の関係があることをユーザ８００、８０２の各々に伝えることができる。図示の実施形態では、モバイル電子デバイス８０６，８１０のメディア出力デバイスのディスプレイを介して、ユーザ８００、８０２が共通の関係があること、及びユーザ８００、８０２が互いに同一場所に位置付けられていることを示すメッセージが提供される。一方のユーザの画像を他方のユーザに提供することもできる。
【００７７】
ここで図９を参照すると、複数の電子デバイスを利用する複数のユーザについての情報を収集するためのシステムの１つの実施形態が示されている。本システムは、複数の電子デバイス（６００Ａ、６００Ｂ〜６００ｎ）、及びこれらの電子デバイスに関連付けられた複数のデータ収集モジュール（１０００Ａ、１０００Ｂ〜１０００ｎ）を含む。上述のように、データ収集モジュール（１０００Ａ、１０００Ｂ〜１０００ｎ）は、一意のユーザ（９００Ａ、９００Ｂ〜９００ｎ）の各々に関連付けられたデータを通信することができる。ユーザ（９００Ａ、９００Ｂ〜９００ｎ）は、データ収集モジュール（１０００Ａ、１０００Ｂ〜１０００ｎ）の各々に関連付けられた一意の識別子を介して、及び／又は、電話番号、社会保障番号、アドレス又は他の一意的に識別する特徴などの一意の識別子を使用して一意的に識別することができる。上述のように、１又はそれ以上の管理モジュール２０００は、電子データを受信し、電子デバイス（６００Ａ、６００Ｂ〜６００ｎ）の各々に対する受信された電子データに基づく複数のユーザプロファイル（３０００Ａ、３０００Ｂ〜３０００ｎ）を維持することができる。上述のデータ収集及び相関技術の何れも、ユーザプロファイル（３０００Ａ、３０００Ｂ〜３０００ｎ）の維持を容易にするために管理モジュール２０００によって利用することができる。ユーザプロファイルは、上述のように、電子デバイスデータ又は推定情報の何れかを包含することができる。管理モジュール２０００は、適宜、ユーザ（９００Ａ、９００Ｂ〜９００ｎ）の１人又はそれ以上に提示するためのメディアを選択することができる。選択されたメディアは、ユーザ（９００Ａ、９００Ｂ〜９００ｎ）の１人又はそれ以上と同一場所に位置付けられた１又はそれ以上のメディア出力デバイス４０００を介して、ユーザ（９００Ａ、９００Ｂ〜９００ｎ）の１人又はそれ以上に表示することができる。例えば、メディアは、携帯電話などのユーザのモバイル電子デバイス、及び／又は掲示板、テレビ、又はコンピュータなどのユーザと同一場所に位置付けられた１又はそれ以上の他のディスプレイを介して出力することができる。
【００７８】
ユーザにメディアを提示する方法も提供され、その実施形態が図１０ａに示されている。この実施形態では、本方法は、少なくとも１つの電子デバイスの電子データを収集するステップ１１０１と、電子データに基づいて少なくとも１つのユーザプロファイルを維持するステップ１１０２と、少なくとも１つのユーザプロファイルに基づいてメディアを選択するステップ１１０３と、選択されたメディアの配信対象となるメディア出力デバイスを選択するステップ１１０４と、選択された出力デバイスに選択されたメディアの配信を行うステップ１１０５とを含む。
【００７９】
収集ステップ１１０１は、例えば、電子デバイスに常駐するデータ収集モジュールを介して達成することができる。収集ステップ１１０１は、以下に更に詳細に説明するように、ベンダーのような他のソースからの情報及びユーザの関係及び／又は他の電子デバイスとのユーザ対話を収集及び受信するステップを含むことができる。
【００８０】
収集されたデータは、一般に、ユーザプロファイルの維持を容易にするために中央ロケーションで維持される。例えば、ユーザプロファイルは、リモートサーバ上で維持することができる。１つの手法では、収集された電子データは、データ管理モジュールを介して定期的にリモートサーバにアップロードされる。別の手法では、データは、有線接続（例えば、インターネット、電話網、ケーブルテレビネットワーク）を介してサーバに提供される。別の手法では、収集されたデータは、データが収集された電子デバイスにて維持される。
【００８１】
ユーザプロファイルを維持するステップ１１０２は、一般に、データ収集ステップ１１０１に基づいてユーザプロファイルを作成及び／又は更新するステップを含む。ユーザプロファイルを維持するステップ１１０２はまた、推定情報を生成するステップを含むことができる。上述のように、推定情報は、収集された電子データに基づいて推定することができる。上述のように、推定情報は、過去のロケーション情報、現在のロケーション情報、予測される将来のロケーション情報、過去のアクティビティ情報、現在のアクティビティ情報、予測される将来のアクティビティ情報、一次ロケーション情報、二次ロケーション情報、基本設定情報、及びソーシャルネットワーク情報の何れか１つを含むことができる。従って、ユーザプロファイルを維持するステップは、収集された電子データを受信し、収集された電子データに基づいて推定情報を推定して、推定情報の少なくとも一部を含むようユーザプロファイルを更新するステップを含むことができる。上述のように、推定情報は、一般に、空間データ、時間データ、及び／又は対話データの１又はそれ以上を相関付けることによって推定される。
【００８２】
特定の実施形態では、ユーザプロファイルを維持するステップ１１０２は、第１ユーザプロファイルを少なくとも１つの他のユーザプロファイルと比較して、少なくとも一部の推定情報を生成するステップを含むことができる。これに関して、特にこのようなユーザが、幾つか例を挙げると共通ソーシャルネットワーク、共通基本設定、共通年齢グループ、及び／又は共通地理ロケーションなどの共通特徴を共有するときには、あるユーザについての情報は、場合によっては、第２ユーザについての情報から推定できる点に留意されたい。従って、ユーザプロファイルを維持するステップ１１０２は、第１ユーザプロファイルを少なくとも１つの他のユーザプロファイルと比較するステップと、この比較ステップに基づいて推定情報を生成するステップと、この推定情報の少なくとも一部を含むようにユーザプロファイルの少なくとも１つを維持するステップとを含むことができる。
【００８３】
推定情報は、以前に推定された情報に基づいて推定することもできる。例えば、第１推定情報は、上述のように、空間、時間、及び／又は対話データに基づいて推定することができる。この第１推定情報は、他の推定情報を推定するための適切な基礎となることができる。従って、この第１推定情報は、時間データ、空間データ及び／又は対話データと相関付けられて、第２推定情報を生成することができる。少なくとも１つのユーザプロファイルは、第２推定情報の少なくとも一部分に基づいて維持することができる。
【００８４】
関連の実施形態では、推定情報は、第１推定情報及び第２推定情報の相関関係に基づいて推定することができ、これらの各々は、空間データ、時間データ、対話データ、及び推定情報の何れかに基づいて推定することができる。これに関して、第１推定情報を第２推定情報に相関付けることによって第３推定情報を推定することができる。少なくとも１つのユーザプロファイルは、この第３推定情報の少なくとも一部分に基づいて維持することができる。
【００８５】
メディア選択ステップ１１０３は、一般に、ユーザプロファイルの少なくとも一部分（例えば、現在のロケーション情報）を利用するステップを含む。１つの手法では、ユーザプロファイルの少なくとも一部分がメディアインベントリのメタデータと比較されメディアがこの比較に基づいて選択された場合、動的メディア配信分析が完了する。１つの実施形態では、ユーザプロファイルの特徴がメディアの特徴と比較され、メディアの選択を容易にすることができる。例えば、１人又はそれ以上のユーザのロケーションがメディアインベントリメタデータと比較され、メディアの何れかがこれらのロケーションの何れかに配信するのに適切であるかどうかを決定することができる。その結果、メディアをそのユーザに配信することができ、或いは、更にメディアを調整するため、及び／又はメディアを提示するかどうかを確認するために、メディアメタデータとユーザプロファイルとの追加の比較を行うことができる。従って、ユーザのロケーションに関係なく、ターゲットメディアの提示を達成することができる。
【００８６】
メディア選択ステップ１１０３は、何らかの適切なトリガーによって開始することができる。例えば、メディア選択ステップは、ユーザ及び／又はユーザのモバイル電子デバイスが所望の地理的近傍的近傍に、或いは所望の時間に位置付けられたときなど、空間データ及び／又は時間データに基づいて開始することができる。トリガーは、メディアコンテンツの所与の価格の消去、アクセス、視聴、編集、及び／又は製作などに付随して、所与のメディアコンテンツに従うものとすることができる。例えば、商品及び／又はサービスの価格が一定のレベルに達すると、メディア選択ステップ１１０３をトリガーすることができる。トリガーはまた、ユーザが所与の１人又は複数の人と同一場所に位置付けられたとき或いはユーザが所与の１人又は複数の人と通信したときにメディアが選択されるような、コミュニティタイプのトリガーとすることもできる。トリガーはまた、あるタイプの商業トランザクションの発生によってメディアが選択されるような、商業タイプのトリガーとすることもできる。これらのトリガーの何れかは、メディア選択ステップ１１３をトリガーするために単独で用いることができ、或いは、メディア選択ステップをトリガーするために何らかの組合せで用いてもよい。メディア選択は、電子デバイス匂いて達成することができ、或いは、電子デバイスからリモートのサーバ上など、電子デバイスからリモートで達成することができる。
【００８７】
メディア出力デバイスを選択するステップ１１０４は、一般に、ユーザの現在のロケーション又は予測される将来のロケーションを、これらのロケーションの少なくとも１つの近傍のメディア出力デバイスのカタログと比較することによって達成される。例えば、電子デバイスのユーザは、１又はそれ以上のディスプレイと同一場所に位置付けられている（例えば、友達の家のテレビと同一場所に位置付けられている）ことを判断することができる。この判断は、現在のロケーションデータを含むことができるユーザプロファイルに基づくことができる。ディスプレイがユーザと同一場所に位置付けられていると判断されると、選択されたメディアの配信のためにこれらのディスプレイの１又はそれ以上を選択することができる。１つの手法では、ユーザに関連付けられたモバイル電子デバイスが、メディア出力デバイスとして選択される。別の手法では、掲示板、テレビ、コンピュータ又は他の何れかのディスプレイ、及び／又はユーザと同一場所に位置付けられるスピーカー又は他のオーディオ出力デバイス、及び／又はユーザと同一場所に位置付けられた別の感覚出力デバイス（例えば、味、香り、又は触覚出力デバイス）など、ユーザと同一場所に位置付けられた異なるメディア出力デバイスが選択される。メディアを提供するために、これらのメディア出力デバイスの何れかが単体で又は何らかの組合せで選択することができる。
【００８８】
１つの実施形態では、メディアは、モバイル電子デバイスの出力デバイスとすることができる第１メディア出力デバイス、及びモバイル電子デバイス出力を含まない視覚ディスプレイとすることができる第２メディア出力デバイスなど、ユーザと同一場所に位置付けられた少なくとも２つのメディア出力デバイスに配信することができる。１又はそれ以上のメディア出力デバイスが選択されると、メディアは、少なくとも２つのメディア出力デバイスに配信するための適切なフォーマットに変換することができる。例えば、ユーザが運転中であり、メディアがユーザと同一場所に位置付けられたモバイル電子デバイスに配信されることになるなどの場合、第１メディアは、オーディオのみのフォーマットで配信することができる。これに付随して、関連するメディアは、ユーザが運転している道路／高速道路近くに位置付けられた掲示板に配信することができる。モバイル電子デバイスに提供されたオーディオメディアは、視覚メッセージが上述の掲示板を介して表示されようとしていることをモバイル電子デバイスのユーザに伝達することができる（例えば、「ユーザさん、覚えていますか、あなたの奥さんの誕生日は明日です。このメッセージは、次の出口を出てすぐの好都合な場所にあるＡＢＣ宝石店がお送りしています。」）。
【００８９】
メディア出力デバイスは、少なくとも１つの電子デバイスを使用して選択することができ、或いは少なくとも１つの電子デバイスからリモートにあるサーバを介してなど、別の電子デバイスを使用して選択することができる。その結果、メディアの配信を行うステップ１１０５はまた、少なくとも１つの電子デバイスで達成することができ、或いは少なくとも１つの電子デバイスからリモートのサーバ上でなど、少なくとも１つの電子デバイスからリモートで達成することができる。無線通信など、電子デバイスへのメディアの配信を行う何らかの既知の又は開発された方法を使用することができる。
【００９０】
理解されるように、電子デバイスのモジュールは専用とすることができ、従って、このようなモジュールから情報を受信することが困難な場合がある。しかしながら、このようなモジュールの製造業者、或いはこれらに関連付けられた他のパーティが、収集された情報を提供するインセンティブを有する場合、彼らは、情報の収集を簡単にする、データ収集モジュールとこれらのモジュールとの間の情報の共有を可能にすることに同意するであろう。これに関して、本発明はまた、モバイル電子デバイスに関連付けられた情報の収集を可能にするための方法を包含し、この１つの実施形態が図１０ｂに示されている。図示の実施形態では、本方法は、電子デバイスの１又はそれ以上のオペレーションモジュールを介して電子データを収集するステップ１１０６と、収集されたデータをデータ収集モジュールに提供するステップ１１０７と、収集されたデータの提供に対してオペレーションモジュールに関連付けられたサードパーティに対価を支払うステップ１１０８とを含む。従って、少なくとも１つの電子デバイスの電子データを収集する方法１１０１を容易にすることができる。
【００９１】
サードパーティに対価を支払う１つの方式は、以下で更に詳細に説明されるように、ユーザプロファイルへのアクセスするため及び／又はメディア提示の権利を許可するために他者から受信された対価の少なくとも一部分をサードパーティに提供することとすることができる。これに関して、本方法はまた、上述のように電子データに基づく少なくとも１つのユーザプロファイルを維持するステップ１１０２、及びこれらのユーザプロファイルの１又はそれ以上へのアクセスを可能にするステップ１１５０を含むことができる。以下に更に詳細に説明するように、対価は、これらのユーザプロファイルへのアクセスを可能にするステップ１１５０及び／又はユーザにメディアを提示する権利を提供するステップ１１５４に対して受け取ることができる１１５２。この対価の少なくとも一部分は、収集された電子データを提供するオペレーションモジュールに関連付けられたサードパーティに提供することができる。
【００９２】
１つの実施形態では、ユーザプロファイルは、第１情報及び第２情報を含むことができ、該第１情報は、モバイル電子デバイスの第１オペレーションモジュールによって収集されたデータに基づいており、第２情報は、モバイル電子デバイスの第２オペレーションモジュールによって収集されたデータに基づいている。これに関して、本方法は、第１対価レートで第１情報の供給を可能にしたパーティに対して対価を支払うステップを含むことができる。本方法はまた、第２対価レートで第２情報の供給を可能にしたパーティに対して対価を支払うステップを含むことができる。特定の実施形態では、第１対価レートは、そのユーザプロファイル内の情報の総量に対するユーザプロファイル内の第１情報の量の割合に関係付けることができる。次に、第２対価レートは、ユーザプロファイルにおける情報の総量と比較したユーザプロファイルにおける第２情報の量の割合に関係付けることができる。
【００９３】
データを収集するためにユーザ許可を取得する際に問題が生じる可能性がある。例えば、空間、時間及び／又は対話データの１又はそれ以上を収集することにより、プライバシーに対する懸念及び／又はプライバシーに関する法律が関わってくる可能性がある。このような懸念及び／又は法律に対処するために、データ収集に対するユーザ同意を得るための方法を利用できる。例えばユーザは、対価に対するデータの収集を許可することに同意することができる。一例匂いて、電子データの収集を許可するユーザの同意と引き替えに、常駐するデータ収集モジュールを有する電子デバイスを割引額で或いは無料でユーザに対して提供することができる。別の例では、ユーザは、ユーザが収集し共有するデータの量に比例して対価を得ることができる。
【００９４】
電子データの収集を可能にする１つの方法が図１０ｃに示されており、本方法は、データ収集モジュールを電子デバイスに関連付けるステップ１１１１、データの収集を許可するユーザ同意を取得するステップ１１１２、上述のように電子デバイスの電子データを収集するステップ１１０１、及び上述のように収集された電子データに基づくユーザプロファイルを維持するステップ１１０２を含む。理解できるように、ユーザは、データ収集を許可することに抵抗を感じる可能性がある。従って、１つの実施形態は、データ収集を許可するユーザによる同意と引き換えに、データの収集を許可することに対してユーザに対価を支払うステップ１１１５を含む。以下に更に詳細に説明するように、対価は、収集され共有されたデータの種々のレベルに基づくことができ１１１７、ユーザに提供される対価は、ユーザによって収集され共有されたデータの量と相対的な（例えば、比例する）ものとすることができる１１１８。この実施形態では、ユーザは、収集され共有されるデータの量を選ぶことができるようにされるので、ユーザプライバシーの懸念が抑制される。
【００９５】
データ収集及び共有レベルの選択を容易にするための１つのシステムが、図１０ｄに示されている。図示の実施形態では、上述のようにデータ収集モジュール１０は、データ収集基本設定モジュール１１２０を含み、これによってユーザが１又はそれ以上のデータ収集オプションを選択できるようになる１１２１。例えば、データ収集基本設定モジュール１１２０によって、ユーザは、空間データ、時間データ、及び対人コミュニケーションデータ、メディアデータ、ユーザ識別情報データ、ソーシャルネットワーク情報データ、トランザクションデータ及び／又はデバイス対話データなどの対話データの何れかを収集するかどうか、並びにこれらのデータを共有するかどうかを選択できるようにすることができる。従って、ユーザは、収集されるデータの量及びこのデータを誰と共有できるかを選択することができる。後者に関して、収集されたデータの共有に対して種々の許可レベルを設定することができる。１つの手法では、データ基本設定モジュール１１２０によって、ユーザは、収集されたデータを種々の関係と共有するレベルを選択できるようにすることができる。第１の例証として、収集されたデータは、第１レベルで家族と共有することができ、収集されたデータは、第２レベルで企業と共有することができ、この第１レベルは、第２レベルよりも多くの量の収集データを含む。一例匂いて、データの第１タイプは、第１エンティティ（例えば、友達）と共有するように選択することができるが、その第１データの少なくとも一部は、第２エンティティ（例えば、企業）と共有するようには選択されない。多くの他のデータ収集及び共有基本設定の組合せが可能であり、全てのこのような組合せは、本発明の範囲及び精神内にある。
【００９６】
上述のように、図１０ｃに関して、データ収集を許可することに対してユーザに対価を支払う方法１１１５は、ユーザが収集及び共有するのを許可されるデータ量に基づくことができる１１１８。例えば、対価の第１層は、ユーザが、少なくとも一部の空間データカテゴリーの共有のような、第１レベルにおけるデータの収集及び共有を許可した場合に提供することができる。対価の第１層よりも高くすることができる、対価の第２層は、ユーザが、より多くの空間データ、時間データ及び／又は対話データの収集を許可する、或いはより多くのエンティティ（例えば、友達，家族、同僚、仕事関係、ベンダー、政府エンティティ、及び他のエンティティ）とのデータの共有を許可するような、第２レベルにおけるデータの収集及び共有を許可した場合に提供することができる。次に、対価の第３、第４などのレベルは、データの更に多くの量の収集及び共有、或いはより多くのエンティティとの共有に対して提供することができる。対価は、ユーザプロファイルの維持者及び／又はユーザ、及び／又はその電子デバイスに関するデータを取得することに関心がある他のパーティ（広告主又はベンダーなど）が提供することができる。
【００９７】
他のユーザを利用するユーザ情報の収集を可能にするための方法もまた提供され、その１つの実施形態が図１０ｅに示されている。図示の実施形態では、本方法は、上述されたような少なくとも１つのユーザプロファイルを維持するステップ１１０２と、他のユーザを介してユーザについてのデータを収集するステップ１１３０と、他のユーザデータをユーザプロファイルの維持者に提供するステップ１１３２と、他のユーザデータを収集するステップ１１３０及び他のユーザデータを提供するステップ１１３２の少なくとも１つに対してユーザに対価を支払うステップ１１３４とを含む。
【００９８】
他のユーザデータ収集ステップ１１３０は、１又はそれ以上のモバイル電子デバイス間のパーソナルエリアネットワーク通信を介してなど、種々の方式で達成することができる１１３７。これに関して、こうしたモバイル電子デバイスが他のパーソナルエリアネットワーク対応通信デバイスの近くにあると、これらのデバイスは情報を共有できる点に留意されたい。従って、第１ユーザが、パーソナルエリアネットワーク通信を可能にしている他のユーザの近くにいると、第１ユーザは、第１ユーザのモバイル電子デバイスを介してそのユーザについての情報を収集することができる。理解できるように、第１ユーザは、こうした他のユーザデータ情報を収集するインセンティブを通常は持つことはできない。しかしながら、第１ユーザに対価を提供することによって、インセンティブが実現され、第１ユーザは、こうした他のユーザデータを収集して、この他のユーザデータをユーザプロファイルの維持者に提供することができる。その結果、ユーザプロファイルの維持者は、他のユーザデータの収集及び／又は提供に対して第１ユーザに対価を支払うことができる。１つの実施形態では、ユーザプロファイルの維持者は、金銭的対価を介してこの第１ユーザに対価を支払うことができる。別の実施形態では、第１ユーザは、割引又は無料のモバイル電子デバイス及び／又はこれに関する割引又は無料のサービスを介してなど、割引商品及び／又はサービスを介して対価を得ることができる。
【００９９】
関連の実施形態では、ユーザプロファイルの維持者は、他者がユーザプロファイルを更新するのを望む可能性がある。従って、本方法はまた、他のユーザプロファイル情報の少なくとも一部分への第１ユーザによるアクセスを可能にするステップ１１３５と、第１ユーザが他のユーザプロファイル情報をレビュー及び／又は更新できるようにするステップ１１３６と、ユーザプロファイル情報の更新に対して第１ユーザに対価を支払うステップ１１３４とを含むことができる。これに関して、可能にされたアクセスは、インターネットなどのネットワークを介して、或いは他のユーザプロファイルの少なくとも一部分を第１ユーザのモバイル電子デバイスにダウンロードすることによって提供することができる。
【０１００】
上述のように、本方法は、電子データに基づく少なくとも１つのユーザプロファイルを維持するステップを含むことができる。ユーザプロファイルの維持は、正確なユーザプロファイルデータを提供するために重要であり、これにより、こうしたユーザプロファイルに対するサードパーティの需要を高めることができる。これに関して、図１０ｆを参照すると、１又はそれ以上のユーザプロファイルは、ユーザ１１４２又は企業１１４４の関係などのサードパーティ１１４０と共有することができる。１つの手法では、ユーザプロファイルは、関係１１４２（例えば、家族、友達、企業、政府エンティティ、及び他の関係）と共有され、これらの関係は、パーソナルエリアネットワークを介して通信できる携帯電話のような電子デバイスを介してなど、ユーザプロファイルの少なくとも一部分を受け取る。関係１１４２の電子デバイスはまた、データ収集機能を有することができ、その電子デバイスに関するだけでなく、他のユーザの電子デバイスからのデータを記憶及び共有することができ、従って、他のユーザ情報の収集を可能にする１１４６。次に、この他のユーザ情報は、ユーザプロファイルの維持者に提供することができ、当該維持者は、これに基づいてユーザプロファイルを維持１１０２することができる。これに関して、モバイル電子デバイスの多くは、これに関連付けられた一意の識別子を有するデータ収集モジュールによる或いは電話番号によるなど、一意に識別することができるので、収集されたデータを他のユーザプロファイルに関連付けることを容易に促進することができる点に留意されたい。
【０１０１】
関連の実施形態では、ユーザプロファイルが１又はそれ以上の企業１１４４と共有することができる。これに関して、企業１１４４は、ユーザと企業の対話（例えば、トランザクションデータ、ブラウジング習慣データ）に基づいてユーザ情報を収集することに同意することができる。例えば、企業１１４４は、モバイル電子デバイスとの対話を介して（例えば、パーソナルエリアネットワークを介して）ユーザ情報を収集すること１１４８に同意することができる。企業は、この収集されたユーザ情報１１４８を、対価機構などを介してユーザプロファイルの維持者と共有することに同意することができる。１つの対価機構は、ジョイントデータ共有機構であり、ここでは、ユーザプロファイルの維持者は、収集されたユーザ情報１１４８の少なくとも一部分を共有することを企業が同意するのと引き換えに、ユーザプロファイルの一部分を企業に提供することに同意する。従って、企業は、ユーザにターゲットメディアを提示することができ、ユーザプロファイルの維持者は、より正確なユーザプロファイルを維持可能にすることができる。
【０１０２】
特定の実施形態では、図１０ｇを参照すると、対価を受け取るための１つの方法は、少なくとも１つの電子デバイスの電子データを収集するステップ１１０１と、電子データに基づく少なくとも１つのユーザプロファイルを維持するステップ１１０２と、ユーザプロファイルの１又はそれ以上へのアクセスを可能にするステップ１１５０と、ユーザプロファイルへのアクセスを可能にすることに対して対価を受け取るステップ１１５２とを含む。電子データの収集ステップ１１０１及びユーザプロファイルを維持するステップ１１０２は、上述のようにして完了させることができる。ユーザプロファイルへのアクセスを可能にするステップ１１５０は、ユーザプロファイルの少なくとも一部分を包含するデータベースにアクセスすることをベンダーに許可するなどによって、種々の方式で完了させることができる。別の実施形態では、ユーザプロファイルの少なくとも一部分をそのアクセスのためベンダーに送ることができる。
【０１０３】
アクセスがどのように提供されるかに関係なく、図示の実施形態は、ユーザプロファイルへのアクセスを可能にするステップ１１５０に対しての対価の受け取りを可能にする。上述のように、電子データ収集ステップ１１０１は、リッチユーザプロファイルの維持を可能にし、これによって、どのユーザがターゲットメディアを提示するかを１又はそれ以上のベンダーが容易に識別可能にすることができる。従って、ベンダーは、これらのユーザプロファイルの維持者に意欲的に対価を提供し、状況によっては、このようなユーザプロファイルを受け取るために、ユーザ自体に直接提供してもよい。例えば、ベンダーは、ユーザプロファイルの少なくとも一部分へのアクセスと引き換えに、金銭、商品、及び／又はサービス対価を意欲的に提供することができる。別の実施形態では、ベンダーは、維持されたユーザプロファイルの少なくとも一部分へのアクセスと引き換えに、そのベンダーが収集したユーザ情報へのアクセスを意欲的に提供することができる。
【０１０４】
例えば、電子デバイスを有する複数のユーザは、複数のフードサービスロケーションの近くに存在する場合があり、その少なくとも一部は、モバイル電子デバイスに関連付けられたユーザプロファイルの少なくとも一部分を受信するように適合されている。これらのフードサービス企業は、受信されたユーザプロファイルをレビューすることができ、ユーザの文化的及び／又は買物基本設定など、特定のメディア配信基本設定に従う１又はそれ以上のユーザプロファイルを位置特定すると、クーポン、広告、又は他のメディアをユーザの１人又はそれ以上に提供する権利に入札することができる。１つの手法では、企業は、２〜３例を上げると経済条件、キャパシティレート、及びフード配信レートなどの固有の条件を考慮して、ユーザプロファイルへのアクセスすること及び／又はユーザプロファイルのユーザにメディアを提供することに対する対価が正当であるかどうかの判断を容易にすることができる。上述のように、対価は、ユーザプロファイルの維持者又は供給者に対して提供することができ、１つの手法では、対価の少なくとも一部は、ベンダーとローカルでのユーザプロファイルの共有を可能にするパーソナルエリアネットワークをユーザが可能にした場合など、個々のプロファイルを共有することに対して１人又はそれ以上のユーザに提供される。１つの手法では、ユーザプロファイルの維持者は、ユーザプロファイルの１又はそれ以上にアクセスするためのアクセス料を要求することができる。このアクセル料は、１アクセス毎に、時間毎に（例えば１週間の間の無制限のアクセス）、又はその他に基づいて請求することができる。
【０１０５】
別の実施形態では、本方法は、第１ユーザにメディアを提示する独占的な権利に対するオファーを１又はそれ以上のベンダーから受信するステップ１１５６を含むことができ、第１ユーザは、１又はそれ以上のベンダーによって受信されたユーザプロファイルに関連付けられている。従って、ユーザプロファイルへのアクセスが可能になった１１５０の後で、逆オークション機構を利用して、メディアを提供する権利を決定することができる。従って、本方法はまた、オファーの１つを受け付けるステップ１１５８と、第１ユーザへのメディアの提示を可能にするステップ１１５４とを含むことができる。
【０１０６】
特定の実施形態では、本方法は、ユーザプロファイルへのより多くのアクセスに対するリクエストを受け取るステップ１１５１を含む。これに関して、アクセスを可能にするステップ１１５０は、ユーザプロファイルの第１層へのアクセスを提供することができ、対価を受け取るステップ１１５２は、対価の第１レベルを受け取るステップを含むことができる。これに付随して又はその後で、ユーザプロファイルへのより多くのアクセスに対するベンダーの１又はそれ以上からのリクエストを受信することができ１１５１、このリクエストは、ユーザプロファイルの少なくとも第２層へのアクセスをリクエストし、ユーザプロファイルの第２層は、ユーザプロファイルの第１層に含まれないユーザプロファイルの情報を含む。例えば、第１層は、ユーザプロファイルの各々の要約と同様のものとすることができ、第２層は、要約に包含されるより詳細な情報を含むことができる。本方法は更に、ユーザプロファイルの第２層へのアクセスを可能にするステップと、これに対する付加的な対価を受け取るステップとを含むことができ、この後者は、明確にするために、図示の実施形態匂いてステップ１１５２に含まれている。この付加的な対価は、上述のタイプの対価の何れであってもよい。
【０１０７】
上述のように、アクセスを可能にするステップ１１５０は、ユーザプロファイルの維持者によって提供することができ、或いはユーザ自身が可能にすることができる。従って、本方法の１つの実施形態は、第１ユーザによるユーザプロファイル情報へのアクセスを容易にするために提供される。これに関して、対価は、以下に更に詳細に説明するように、第１ユーザに直接提供されてもよい。
【０１０８】
別の実施形態では、図１０ｊを参照して、本方法は、ユーザプロファイルの１又はそれ以上をレビューするステップ１１８０及びレビューに基づいて１又はそれ以上のメディア表示機会を位置特定するステップ１１８２を含むことができる。例えば、動的メディア表示機会分析を完了させることができ、ここでユーザプロファイルのデータは、メディアインベントリのメディアに関連付けられたメタデータに相関付けられ１１８６、例えば１又はそれ以上のメディア機会条件を満たすユーザプロファイルの種々のプロファイルが、メディア表示機会として選択することができる。これに付随して又はその後で、本方法は、メディア表示機会の１又はそれ以上を１又はそれ以上のベンダーに提示するステップ１１８４を含むことができる。例えば、メディア表示機会をベンダーに通知するために、ユーザプロファイルの維持者とベンダーの間で電子通信を行うことができる。このような通信は、ユーザプロファイルの１又はそれ以上に関連付けられた電子データ及び／又は推定情報などの機会についてのデータを含むことができる１１８８。詳細には、この通信は、現在のロケーション情報、予測される将来のロケーション情報、予測される将来のアクティビティ情報及び基本設定情報の１又はそれ以上を含むことができる。次にベンダーは、例えばベンダーがメディアを提示する権利を入札した１１９０場合にオークション機構を介して、或いはユーザプロファイルの維持者及び／又はユーザ自身によって決定された最小閾値対価レベルを満たすことによるなど、データをレビューし、及び／又はユーザの１人又はそれ以上にターゲットメディアを表示する権利に対する対価を提供する１１５４ことができる。
【０１０９】
上述のように、企業及び政府エンティティなどの他のソースによって取得されたデータを用いて、ユーザプロファイルを維持することもできる（１１０２）。このようなデータの使用に関わる１つの問題点は真正性である。不正確なデータは不正確なユーザプロファイルをもたらし、従って、好ましくないメディアの提示をもたらす可能性がある。これに関して、ＡＰＩを利用するアプリケーションサーバなどの認証インターフェースを利用して、情報のプロバイダを認証する、及び／又は情報自体を認証することができる。１つの実施形態では、図１０ｈに示されるように、１又はそれ以上の企業又は政府エンティティによって収集された空間データ、時間データ及び／又は対話データ１１７２は、インターネットなどのネットワークを介して認証インターフェースに提示することができる１１７４。認証インターフェースは、ユーザプロファイルを維持する１１０２際にデータを利用できるようにする前にサードパーティを（例えば、デジタル証明書を介して）認証することができ、及び／又は認証インターフェースは、収集されたデータと、ユーザアイデンティティデータ及び／又はトランザクションデータなどの認証情報との比較などを介してデータ自体を認証することができる。後者に関して、サードパーティによって提供される複数のデータは、既知のユーザプロファイルに対してレビュー及び比較し、データがユーザプロファイルを維持する際の使用を正当化するほど十分認証されているかどうかを判断することができる。データが認証されている（例えば、認証基準の予め決められた数が満たされた）ことを比較が示した場合、サードパーティデータは、ユーザプロファイルの維持者に提供され１１７６、ユーザプロファイルの維持を可能にするために既存のデータに適合させることができる１１０２。データが認証されていることを比較が示さなかった場合、データは拒否することができる１１７８。よって、サードパーティからのデータの収集及び認証が容易にされる。上述のように、このようなサードパーティは、データの認証及び／又はデータの提供に対して対価を得ることができる。
【０１１０】
上述のように、本方法は、ユーザプロファイルに基づくメディアを選択するステップを含むことができる。上述のように、メディアを選択する１つの方法は、ユーザプロファイルの少なくとも一部分をメディアインベントリのメディアに関連付けられたデータと比較し、この比較に基づいて１又はそれ以上のメディアを選択することである。メディア選択の関連の実施形態が図１０ｉに示されている。図示の実施形態では、メディア選択は、ユーザ１１６３又はユーザプロファイルの維持者１１６２に対価を提供することができる１又はそれ以上の企業などに対して、ユーザプロファイルの少なくとも一部分へのアクセスを可能にすること１１５０により容易にすることができる。企業は、ユーザプロファイルの少なくとも一部分を受け取り、プロファイルをレビューし１１６４、ユーザプロファイルのユーザにメディアを提供することに関心があるかどうかを確認することができる。例えば、企業は、プロファイルをレビューし、該プロファイルが、文化的基本設定、買物基本設定、関係データ、及び／又は予測される将来のロケーション及び／又は予測される将来のアクティビティデータなどのメディア配信の基準に関連付けられたパラメータの１つにマッチするかどうかを判断することができる。企業が、ユーザにメディアを提供することに関心がない場合、それ以上何も起こらない。しかしながら、企業が、ユーザにメディアを提供することに関心がある場合、これらの企業は、例えば、メディアを提供する権利に入札し１１６６、或いはユーザプロファイルへのより多くのアクセスをリクエストする１１６８ことができる。何れの場合匂いても、ユーザの１人１１６３及びユーザプロファイルの維持者１１６２に対して対価を提供することができる。
【０１１１】
本発明の種々の実施形態を詳細に説明してきたが、当業者であれば、これらの実施形態の修正及び改変を想起される点は明らかである。しかしながら、これらの修正及び改変は、本発明の精神及び範囲内にあることを明確に理解すべきである。
【符号の説明】
【０１１２】
１  メディアを配信するためのシステム
１０  データ収集モジュール
２０  管理モジュール
３０  ユーザプロファイル
４０  メディア出力デバイス
【図１】
0005507639.tif 000005
【図２】
0005507639.tif 000006
【図３】
0005507639.tif 000007
【図４】
0005507639.tif 000008
【図５】
0005507639.tif 000009
【図６ａ】
0005507639.tif 000010
【図６ｂ】
0005507639.tif 000011
【図７】
0005507639.tif 000012
【図８】
0005507639.tif 000013
【図９】
0005507639.tif 000014
【図１０ａ】
0005507639.tif 000015
【図１０ｂ】
0005507639.tif 000016
【図１０ｃ】
0005507639.tif 000017
【図１０ｄ】
0005507639.tif 000018
【図１０ｅ】
0005507639.tif 000019
【図１０ｆ】
0005507639.tif 000020
【図１０ｇ】
0005507639.tif 000021
【図１０ｈ】
0005507639.tif 000022
【図１０ｉ】
0005507639.tif 000023
【図１０ｊ】
0005507639.tif 000024